(57)【要約】  プラットフォーム部材を受容する構造フレーム支持部材を有したおむつ交換プラットフォームシステムが開示されている。プラットフォーム部材は、少なくとも１つの連動部分がプラットフォーム部材から突出して配置され得るように構成され、これにより、その連動部分上に乳幼児を着座させることができ、プラットフォーム部材は、また、プラットフォーム部材が略平坦面を規定できるように配置され得るようにも構成され、これにより、その略平坦面上に乳幼児を横たわらせて配置することが可能とされる。乳幼児を運ぶためのベビーカーは、フレームと、おむつ交換プラットフォームシステムと、を含む。ベビーカーのフレームは、プラットフォーム部材が乳幼児を少なくとも１つの連動部分上に着座させることを可能としている場合に、おむつ交換プラットフォームシステムを受容し、これにより、ベビーカーを介しておむつ交換プラットフォームシステムを運ぶことが可能とされる。支持リブと外骨格との使用を含む重量支持システムが、含まれている。【選択図】図１
2021506537.tif 000002
【特許請求の範囲】
【請求項１】
おむつ交換プラットフォームシステムであって、
複数の連動部分を有して構成されたプラットフォーム部材を含み、前記プラットフォーム部材は、前記プラットフォーム部材から突出して配置された少なくとも１つの連動部分上に乳幼児を着座させ得るように構成され、これにより、着座位置を規定することができ、
前記プラットフォーム部材は、前記プラットフォーム部材が略平坦面を規定するように配置されるように構成され、これにより、前記略平坦面上に乳幼児を横たわらせて配置することが可能とされる、おむつ交換プラットフォームシステム。
【請求項２】
前記プラットフォーム部材は、第１側辺と、第２側辺と、第１端部と、第２端部と、を有しているとともに、おむつを交換するために、上面上に乳幼児を配置し得るように構成され、
前記システムは、
ベース部材から長手方向に延びる第１側方部材と前記ベース部材から長手方向に延びる第２側方部材とを規定する構造フレーム支持部材を、さらに含み、
前記構造フレーム支持部材は、前記第１側方部材と前記第２側方部材とのそれぞれに形成された少なくとも２つの開口を少なくとも部分的に介して、内部に前記プラットフォーム部材を受容するように構成され、前記第１側方部材に形成された前記少なくとも２つの開口は、前記プラットフォーム部材の前記第１側辺に対して少なくとも部分的に相互作用し、前記第２側方部材に形成された前記少なくとも２つの開口は、前記プラットフォーム部材の前記第２側辺に対して少なくとも部分的に相互作用し、
前記プラットフォーム部材は、前記第１側方部材に形成された前記少なくとも２つの開口の内部において移動可能に配置された接続部材と前記第２側方部材に形成された前記少なくとも２つの開口の内部において移動可能に配置された接続部材とを含む複数の連動部分を有して構成され、
前記複数の連動部分は、少なくとも１つの連動部分が前記プラットフォーム部材から突出して配置され得るように構成され、これにより、前記プラットフォーム部材から突出して配置された前記少なくとも１つの連動部分上に乳幼児を着座させることが可能とされる、請求項１に記載のおむつ交換プラットフォームシステム。
【請求項３】
前記プラットフォーム部材は、着座支持部分と連動する上側部分を規定する連動部分を含む複数の連動部分を有して構成され、
前記上側部分と前記着座支持部分とは、前記プラットフォーム部材が略平坦面を規定しこれにより前記略平坦面上に乳幼児を横たわらせて配置し得るよう、前記上側部分と前記着座支持部分とが、前記第１側方部材に形成された前記少なくとも２つの開口の内部において移動可能に配置された前記接続部材の動きを介して、及び、前記第２側方部材に形成された前記少なくとも２つの開口の内部において移動可能に配置された前記接続部材の動きを介して、位置決めされ得るように構成されている、請求項２に記載のおむつ交換プラットフォームシステム。
【請求項４】
複数の連動部分として構成された前記プラットフォーム部材は、前記複数の連動部分のうちの、前記プラットフォーム部材から突出して配置された別の少なくとも１つの連動部分上に乳幼児を着座させている際には、前記複数の連動部分のうちの前記少なくとも１つが乳幼児の下肢の背面側に配置され得るように構成されている、請求項１に記載のおむつ交換プラットフォームシステム。
【請求項５】
前記連動部分のうちの少なくとも他の１つは、前記複数の連動部分のうちの、前記プラットフォーム部材から突出して配置された前記別の少なくとも１つの連動部分上に乳幼児を着座させている際には、上面上に前記乳幼児の足を置き得るように構成されている、請求項４に記載のおむつ交換プラットフォームシステム。
【請求項６】
前記着座支持部分は、前記複数の連動部分のうちの、前記プラットフォーム部材から突出して配置された別の少なくとも１つの連動部分上に乳幼児を着座させている際には、前記複数の連動部分のうちの少なくとも１つが前記乳幼児の下肢の背面側に配置され得るようにして、前記複数の連動部分として構成されている、請求項３に記載のおむつ交換プラットフォームシステム。
【請求項７】
前記連動部分のうちの少なくとも他の１つは、前記複数の連動部分のうちの、前記プラットフォーム部材から突出して配置された前記別の少なくとも１つの連動部分上に乳幼児を着座させている際には、上面上に前記乳幼児の足を置き得るように構成されている、請求項６に記載のおむつ交換プラットフォームシステム。
【請求項８】
前記プラットフォーム部材は、上側プラットフォーム部材面と、下側プラットフォーム部材面と、を規定し、
前記下側プラットフォーム部材面は、前記プラットフォーム部材面内に、前記着座支持部分を受容する凹所を規定している、請求項１に記載のおむつ交換プラットフォームシステム。
【請求項９】
前記プラットフォーム部材に対して取り付け可能とされかつ前記プラットフォーム部材から取り外し可能とされた仕切り部材をさらに含み、前記仕切り部材は、前記プラットフォーム部材に対して平行な位置から、前記プラットフォーム部材から突出した位置へと、移動可能とされ、これにより、上面上に物を配置することを可能とするテーブル面を提供する、請求項１に記載のおむつ交換プラットフォームシステム。
【請求項１０】
おむつの交換時に少なくとも１つの乳幼児用衛生フラップが汚れを負担する位置へと、前記プラットフォーム部材に対して着脱可能に取り付け可能であるように構成されている前記少なくとも１つの乳幼児用衛生フラップをさらに含む、請求項１に記載のおむつ交換プラットフォームシステム。
【請求項１１】
前記プラットフォーム部材に対して着脱可能に取り付け可能であるように構成された少なくとも１つの乳幼児用衛生フラップをさらに含み、前記少なくとも１つの乳幼児用衛生フラップは、前記プラットフォーム部材から突出して配置された前記少なくとも１つの連動部分上に乳幼児を着座させ得るよう前記着座支持部分が前記プラットフォーム部材から突出して配置され得るように構成されている時には、前記着座支持部分とオーバーラップするように構成され、
これにより、前記少なくとも１つの乳幼児用衛生フラップは、前記少なくとも１つの連動部分上に乳幼児を着座させている際には、前記少なくとも１つの乳幼児用衛生フラップが汚れを負担し得るように構成されている、請求項２に記載のおむつ交換プラットフォームシステム。
【請求項１２】
前記仕切り部材は、前記プラットフォーム部材上に配置された乳幼児の胴体の上方に前記仕切り部材を配置させ得る中央空間を規定する略Ｕ字形状アーチとして構成されている、請求項９に記載のおむつ交換プラットフォームシステム。
【請求項１３】
前記仕切り部材は、内部に少なくとも１つの物を受容するように構成された空間容積を規定する少なくとも１つの区画をさらに含む、請求項９に記載のおむつ交換プラットフォームシステム。
【請求項１４】
前記プラットフォーム部材は、少なくとも１つの回転軸線を規定し、前記回転軸線まわりに前記おむつ交換プラットフォームシステムを折り重ねることができ、これにより、コンパクトな状態で持ち運び可能とされる、請求項１に記載のおむつ交換プラットフォームシステム。
【請求項１５】
前記プラットフォーム部材の前記複数の連動部分が、前記プラットフォーム部材から突出して配置された少なくとも１つの連動部分上に乳幼児を着座させ得るように構成されている時には、前記おむつ交換プラットフォームシステムは、ベビーカーのフレーム内に受容されることができ、これにより、前記少なくとも１つの連動部分上に乳幼児を着座させ得るとともに、前記ベビーカーを介して前記おむつ交換プラットフォームシステムを運ぶことが可能とされる、請求項１に記載のおむつ交換プラットフォームシステム。
【請求項１６】
前記着座位置とされた時に前記おむつ交換プラットフォームシステムに対する支持を提供するように構成され、携行者の肩に対して印加される前記乳幼児の重量を低減することができる重量支持システムをさらに含む、請求項１に記載のおむつ交換プラットフォームシステム。
【請求項１７】
前記重量支持システムは、前記おむつ交換プラットフォームシステムの携行者の腰まわりに取り付けられるように構成されたバンドと、前記バンドによって支持され、前記着座位置とされた時の前記おむつ交換プラットフォームシステムを支持するように構成された少なくとも２つの支持構造と、を含む、請求項１６に記載のおむつ交換プラットフォームシステム。
【請求項１８】
前記重量支持システムは、前記おむつ交換プラットフォームシステムの携行者の腰まわりに取り付けられるように構成されたバンドと、前記バンドによって支持され、前記着座位置とされた時の前記おむつ交換プラットフォームシステムを支持し得るように構成され、さらに、前記携行者の足の動きに基づいて力をさらに伝達する、少なくとも１つの外骨格支持構造と、を含む、請求項１６に記載のおむつ交換プラットフォームシステム。
【請求項１９】
前記少なくとも１つの外骨格支持構造は、プレート部材をさらに含み、
前記おむつ交換プラットフォームシステムは、前記プラットフォーム部材から突出して配置された少なくとも１つの連動部分上に乳幼児を着座させ得るように構成され、これにより、着座位置を規定し、
前記少なくとも１つの連動部分は、前記少なくとも１つの外骨格支持構造に対して、前記プレート部材を受容するように構成されて配置されたポケットをさらに含み、
これにより、前記おむつ交換プラットフォームシステムの前記携行者が動いた場合であっても、前記おむつ交換プラットフォームシステムに対して前記外骨格支持構造を安定化させることができる、請求項１８に記載のおむつ交換プラットフォームシステム。
【請求項２０】
乳幼児を運ぶためのベビーカーであって、
フレームと、
おむつ交換プラットフォームシステムであって、
複数の連動部分を有して構成されたプラットフォーム部材であって、前記プラットフォーム部材は、前記プラットフォーム部材から突出して配置された少なくとも１つの連動部分上に乳幼児を着座させ得るように構成され、
前記プラットフォーム部材は、前記プラットフォーム部材が略平坦面を規定するように配置されるように構成され、これにより、前記略平坦面上に乳幼児を横たわらせて配置することが可能とされる、プラットフォーム部材、を含む、おむつ交換プラットフォームシステムと、を含み、
前記ベビーカーの前記フレームは、前記プラットフォーム部材が少なくとも１つの連動部分上に乳幼児を着座させ得るように構成されている時には、前記おむつ交換プラットフォームシステムを受容し、これにより、前記ベビーカーを介して前記おむつ交換プラットフォームシステムを運ぶことが可能とされる、ベビーカー。
【請求項２１】
重量支持システムであって、
携行者の腰まわりに着用され得るように構成されたバンドを含んでおり、
前記バンドは、少なくとも１つの支持構造を固定するための少なくとも１つの固定デバイスを含み、前記バンドと前記少なくとも１つの支持構造とは、
着座支持部分がプラットフォーム部材から突出して配置され得るように構成され、これにより、おむつ交換プラットフォームシステムが携行者によって運ばれている際に、前記プラットフォーム部材から突出して配置された前記着座支持部分上に乳幼児を着座させ得るように構成された、おむつ交換プラットフォームシステムと、
バックパックの携行者の胴体背面上に付帯された前記バックパックと、
フロントパックの携行者の胴体前面上に付帯された前記フロントパックと、
あるいは、これらの組合せと、のうちの１つを支持するように構成され、
前記重量支持システムは、携行者の肩に対して印加される、前記おむつ交換プラットフォームシステムの前記着座支持部分上に着座した乳幼児の重量を低減するように構成されている、あるいは、携行者の肩に対して印加される前記バックパックの重量を低減するように構成されている、あるいは、携行者の肩に対して印加される前記フロントパックの重量を低減するように構成されている、重量支持システム。
【請求項２２】
前記少なくとも１つの支持構造は、前記バンドによって支持された少なくとも２つの支持リブを含み、前記少なくとも２つの支持リブは、
着座支持部分がプラットフォーム部材から突出して配置され得るように構成され、これにより、前記プラットフォーム部材から突出して配置された時に前記着座支持部分上に乳幼児を着座させ得るように構成された、おむつ交換プラットフォームシステムと、
バックパックの携行者の胴体背面上に付帯された前記バックパックと、
フロントパックの携行者の胴体前面上に付帯された前記フロントパックと、
あるいは、これらの組合せと、のうちの１つを支持するように構成されている、請求項２１に記載の重量支持システム。
【請求項２３】
前記重量支持システムは、前記バンドによって支持された少なくとも１つの外骨格支持構造を含み、前記少なくとも１つの外骨格支持構造は、
着座支持部分がプラットフォーム部材から突出して配置され得るように構成され、これにより、前記プラットフォーム部材から突出して配置された時に前記着座支持部分上に乳幼児を着座させ得るように構成された、おむつ交換プラットフォームシステムと、
バックパックの携行者の胴体背面上に付帯された前記バックパックと、
フロントパックの携行者の胴体前面上に付帯された前記フロントパックと、
あるいは、これらの組合せと、のうちの１つを支持するように構成されている、請求項２１に記載の重量支持システム。
【請求項２４】
前記少なくとも１つの外骨格支持構造は、少なくとも１つのプレート部材をさらに含み、
着座支持部分がプラットフォーム部材から突出して配置され得るように構成され、これにより、前記プラットフォーム部材から突出して配置された時に前記着座支持部分上に乳幼児を着座させ得るように構成された、おむつ交換プラットフォームシステムと、
バックパックの携行者の胴体背面上に付帯された前記バックパックと、
フロントパックの携行者の胴体前面上に付帯された前記フロントパックと、
あるいは、これらの組合せと、のうちの１つを含み、
前記少なくとも１つの外骨格支持構造に対して、内部に前記少なくとも１つのプレート部材を受容し得るように構成されて配置されたポケットをさらに含み、これにより、前記携行者が動いた場合であっても、
着座支持部分がプラットフォーム部材から突出して配置され得るように構成され、これにより、前記プラットフォーム部材から突出して配置された時に前記着座支持部分上に乳幼児を着座させ得るように構成された、おむつ交換プラットフォームシステムと、
バックパックの携行者の胴体背面上に付帯された前記バックパックと、
フロントパックの携行者の胴体前面上に付帯された前記フロントパックと、
あるいは、これらの組合せと、のうちの１つに対して、前記外骨格支持構造を安定化させることができる、請求項２３に記載の重量支持システム。
【発明の詳細な説明】
【背景技術】
【０００１】
乳幼児は、おむつを着けたままで、屋外へとまた家庭外の場所へと連れ出されることのために、おむつを定期的に交換する必要がある。乳幼児は落ち着きがなく協力的でないことも多いので、そのような状況下でおむつを交換することは、特に困難なものであり得る。
【０００２】
この問題点に対処することを意図した公知の装置は、おむつを交換することを除いては、親又は介護者に対して多くの選択肢を提供するものではない。
【発明の概要】
【発明が解決しようとする課題】
【０００３】
本開示は、従来技術によるおむつ交換装置に対して有意なかつ非自明な利点を提供する、おむつ交換プラットフォームと着座システムとの組合せに関する。
【課題を解決するための手段】
【０００４】
より具体的には、本開示は、複数の連動部分を有して構成されたプラットフォーム部材を含むおむつ交換プラットフォームシステムに関する。プラットフォーム部材は、プラットフォーム部材から突出して配置された少なくとも１つの連動部分上に乳幼児を着座させ得るように構成され、これにより、着座位置を規定することができる。プラットフォーム部材は、また、プラットフォーム部材が略平坦面を規定できるように配置され得るようにも構成され、これにより、その略平坦面上に乳幼児を横たわらせて配置することが可能とされる。
【０００５】
一態様では、プラットフォーム部材は、第１側辺と、第２側辺と、第１端部と、第２端部と、を有しているとともに、おむつを交換するために、上面上に乳幼児を配置し得るように構成されている。システムは、ベース部材から長手方向に延びる第１側方部材とベース部材から長手方向に延びる第２側方部材とを規定する構造フレーム支持部材を、さらに含むことができる。構造フレーム支持部材は、第１側方部材と第２側方部材とのそれぞれに形成された少なくとも２つの開口を少なくとも部分的に介して、内部にプラットフォーム部材を受容し得るように構成されている。第１側方部材に形成された少なくとも２つの開口は、プラットフォーム部材の第１側辺に対して少なくとも部分的に相互作用し、第２側方部材に形成された少なくとも２つの開口は、プラットフォーム部材の第２側辺に対して少なくとも部分的に相互作用する。プラットフォーム部材は、第１側方部材に形成された少なくとも２つの開口の内部において移動可能に配置された接続部材と第２側方部材に形成された少なくとも２つの開口の内部において移動可能に配置された接続部材とを含む複数の連動部分を有して構成されている。複数の連動部分は、少なくとも１つの連動部分がプラットフォーム部材から突出して配置され得るように構成され、これにより、プラットフォーム部材から突出して配置されたその少なくとも１つの連動部分上に乳幼児を着座させることが可能とされる。
【０００６】
他の態様では、プラットフォーム部材は、着座支持部分と連動する上側部分を規定する連動部分を含む複数の連動部分を有して構成されている。上側部分と着座支持部分とは、プラットフォーム部材が略平坦面を規定しこれによりこの略平坦面上に乳幼児を横たわらせて配置し得るよう、上側部分と着座支持部分とが、第１側方部材に形成された少なくとも２つの開口の内部において移動可能に配置された接続部材の動きを介して、及び、第２側方部材に形成された少なくとも２つの開口の内部において移動可能に配置された接続部材の動きを介して、位置決めされ得るように構成されている。
【０００７】
一態様では、複数の連動部分として構成されたプラットフォーム部材は、複数の連動部分のうちの、プラットフォーム部材から突出して配置された別の少なくとも１つの連動部分上に乳幼児を着座させている際には、複数の連動部分のうちの少なくとも１つが乳幼児の下肢の背面側に配置され得るように、構成されている。
【０００８】
一態様では、連動部分のうちの少なくとも他の１つは、複数の連動部分のうちの、プラットフォーム部材から突出して配置された別の少なくとも１つの連動部分上に乳幼児を着座させている際には、上面上に乳幼児の足を置き得るように構成されている。
【０００９】
一態様では、着座支持部分は、複数の連動部分のうちの、プラットフォーム部材から突出して配置された別の少なくとも１つの連動部分上に乳幼児を着座させている際には、複数の連動部分のうちの少なくとも１つが乳幼児の下肢の背面側に配置され得るようにして、複数の連動部分として構成されている。
【００１０】
他の態様では、連動部分のうちの少なくとも他の１つは、複数の連動部分のうちの、プラットフォーム部材から突出して配置された別の少なくとも１つの連動部分上に乳幼児を着座させている際には、上面上に乳幼児の足を置き得るように構成されている。
【００１１】
さらに他の態様では、プラットフォーム部材は、上側プラットフォーム部材面と、下側プラットフォーム部材面と、を規定し、下側プラットフォーム部材面は、プラットフォーム部材面内に、着座支持部分を受容する凹所を規定している。
【００１２】
一態様では、おむつ交換プラットフォームシステムは、プラットフォーム部材に対して取り付け可能とされかつプラットフォーム部材から取り外し可能とされた仕切り部材をさらに含むことができる。仕切り部材は、プラットフォーム部材に対して平行な位置から、プラットフォーム部材から突出した位置へと、移動可能とされ、これにより、上面上に物を配置することを可能とするテーブル面を提供することができる。
【００１３】
一態様では、おむつ交換プラットフォームシステムは、プラットフォーム部材に対して着脱可能に取り付け可能であるように構成された少なくとも２つの乳幼児胴体支持フラップであり、互いに係合するように構成され、これにより、プラットフォーム部材上に配置された際の乳幼児の胴体を拘束し得る、少なくとも２つの乳幼児胴体支持フラップをさらに含むことができる。
【００１４】
一態様では、おむつ交換プラットフォームシステムは、プラットフォーム部材に対して着脱可能に取り付け可能であるように構成された少なくとも２つの乳幼児肩支持フラップであり、少なくとも２つの乳幼児胴体支持フラップに対してそれぞれ着脱可能に係合するように構成され、これにより、プラットフォーム部材上に配置された際の乳幼児の肩を拘束し得る、少なくとも２つの乳幼児肩支持フラップをさらに含むことができる。
【００１５】
一態様では、少なくとも２つの乳幼児胴体支持フラップは、プラットフォーム部材に対して着脱可能に取り付け可能であるように構成されるとともに、互いに係合するように構成され、これにより、プラットフォーム部材から突出して配置された少なくとも１つの別の連動部分上に着座している際の乳幼児の胴体を拘束することができる。
【００１６】
一態様では、少なくとも２つの乳幼児肩支持フラップは、プラットフォーム部材に対して着脱可能に取り付け可能であるように構成されているとともに、少なくとも２つの乳幼児胴体支持フラップに対してそれぞれ着脱可能に係合するように構成され、これにより、プラットフォーム部材から突出して配置された少なくとも１つの別の連動部分上に着座している際の乳幼児の肩を拘束することができる。
【００１７】
一態様では、少なくとも１つの乳幼児用衛生フラップは、おむつの交換時にこの少なくとも１つの乳幼児用衛生フラップが汚れを負担する位置へと、プラットフォーム部材に対して着脱可能に取り付け可能であるように構成されている。
【００１８】
一態様では、少なくとも１つの乳幼児用衛生フラップは、プラットフォーム部材に対して着脱可能に取り付け可能であるように構成されるとともに、プラットフォーム部材から突出して配置された少なくとも１つの連動部分上に乳幼児を着座させ得るよう着座支持部分がプラットフォーム部材から突出して配置され得るように構成されている時には、着座支持部分とオーバーラップするように構成されている。これにより、少なくとも１つの乳幼児用衛生フラップは、少なくとも１つの連動部分上に乳幼児を着座させている際には、この少なくとも１つの乳幼児用衛生フラップが汚れを負担するように構成されている。
【００１９】
一態様では、仕切り部材は、プラットフォーム部材上に配置された乳幼児の胴体の上方に仕切り部材を配置させ得る中央空間を規定する略Ｕ字形状アーチとして構成されている。
【００２０】
一態様では、仕切り部材は、内部に少なくとも１つの物を受容し得るように構成された空間容積を規定する少なくとも１つの区画をさらに含む。
【００２１】
一態様では、おむつ交換プラットフォームシステムは、それぞれがプラットフォーム部材から突出するように構成された複数のアーチ部材をさらに含み、これらアーチ部材のそれぞれは、プラットフォーム部材上の第１共通位置において結合された一端部を有し、これらアーチ部材のそれぞれは、プラットフォーム部材上の第２共通位置において結合された他端部を有している。
【００２２】
一態様では、複数のアーチ部材の少なくとも１つは、第１共通位置まわりにおいて及び第２共通位置まわりにおいて回転可能に移動し、これにより、プラットフォーム部材と複数のアーチ部材のうちのその少なくとも１つとの間に少なくとも１つの空間容積を規定する。
【００２３】
一態様では、おむつ交換プラットフォームシステムは、プラットフォーム部材に対して及び複数のアーチ部材の少なくとも１つに対して着脱可能に取り付け可能なメッシュ材料をさらに含み、これにより、プラットフォーム部材上においてプラットフォーム部材と複数のアーチ部材のうちのその少なくとも１つとの間の少なくとも１つの空間容積の内部に配置された乳幼児のための虫除け構造を規定する。
【００２４】
一態様では、おむつ交換プラットフォームシステムは、プラットフォーム部材に対して及び複数のアーチ部材の少なくとも１つに対して着脱可能に取り付け可能な固体材料をさらに含み、これにより、プラットフォーム部材上においてプラットフォーム部材と複数のアーチ部材のうちのその少なくとも１つとの間の少なくとも１つの空間容積の内部に配置された乳幼児のための耐候性構造を規定する。
【００２５】
一態様では、おむつ交換プラットフォームシステムは、おむつ交換プラットフォームシステムの携行者の胴体によって支持されるようにして、プラットフォーム部材に対して着脱可能に取り付け可能であるように構成された少なくとも１つの携行者胴体支持フラップであり、これにより、プラットフォーム部材上に配置された乳幼児を支持する少なくとも１つの携行者胴体支持フラップをさらに含む。
【００２６】
他の態様では、おむつ交換プラットフォームシステムは、プラットフォーム部材に対して着脱可能に取り付け可能であるように構成されるとともにプラットフォーム部材の携行者の肩に対して接触し得るように構成された少なくとも２つの携行者肩支持フラップであり、これにより、プラットフォーム上に配置された乳幼児を支持する少なくとも２つの携行者肩支持フラップをさらに含む。
【００２７】
一態様では、少なくとも１つの携行者胴体支持フラップは、プラットフォーム部材に対して着脱可能に取り付け可能であるように構成されるとともにプラットフォーム部材の携行者によって支持され得るように構成され、これにより、少なくとも１つの他の連動部分上に着座している乳幼児の胴体を支持する。
【００２８】
一態様では、少なくとも２つの乳幼児肩支持フラップは、プラットフォーム部材に対して着脱可能に取り付け可能であるように構成されるとともにプラットフォーム部材の携行者によって支持され得るように構成され、これにより、少なくとも１つの他の連動部分上に着座している乳幼児の胴体を支持する。
【００２９】
一態様では、プラットフォーム部材は、少なくとも１つの回転軸線を規定し、この回転軸線まわりにおむつ交換プラットフォームシステムを折り重ねることができ、これにより、コンパクトな状態で持ち運び可能とされる。
【００３０】
一態様では、プラットフォーム部材の複数の連動部分が、プラットフォーム部材から突出して配置された少なくとも１つの連動部分上に乳幼児を着座させ得るように構成されている時には、おむつ交換プラットフォームシステムは、ベビーカーのフレーム内に受容されることができ、これにより、少なくとも１つの連動部分上に乳幼児を着座させ得るとともに、ベビーカーを介しておむつ交換プラットフォームシステムを運ぶことが可能とされる。
【００３１】
さらに他の態様では、おむつ交換プラットフォームシステムは、着座位置とされた時におむつ交換プラットフォームシステムに対する支持を提供し得るように構成された重量支持システムであり、携行者の肩に対して印加される乳幼児の重量を低減することができる重量支持システムをさらに含む。
【００３２】
一態様では、重量支持システムは、おむつ交換プラットフォームシステムの携行者の腰まわりに取り付けられるように構成されたバンドと、このバンドによって支持された少なくとも２つの支持構造であり、着座位置とされた時のおむつ交換プラットフォームシステムを支持するように構成された少なくとも２つの支持構造と、を含む。
【００３３】
他の態様では、重量支持システムは、おむつ交換プラットフォームシステムの携行者の腰まわりに取り付けられるように構成されたバンドと、このバンドによって支持された少なくとも１つの外骨格支持構造であり、着座位置とされた時のおむつ交換プラットフォームシステムを支持するように構成され、さらに、携行者の足の動きに基づいて力をさらに伝達する、少なくとも１つの外骨格支持構造と、を含む。
【００３４】
一態様では、少なくとも１つの外骨格支持構造は、プレート部材をさらに含む。おむつ交換プラットフォームシステムは、プラットフォーム部材から突出して配置された少なくとも１つの連動部分上に乳幼児を着座させ得るように構成され、これにより、着座位置を規定することができ、少なくとも１つの連動部分は、少なくとも１つの外骨格支持構造に対して、内部にプレート部材を受容するように構成されて配置されたポケットをさらに含み、これにより、おむつ交換プラットフォームシステムの携行者が動いた場合であっても、おむつ交換プラットフォームシステムに対して外骨格支持構造を安定化させることができる。
【００３５】
本開示は、また、乳幼児を運ぶためのベビーカーであって、フレームと、おむつ交換プラットフォームシステムと、を含むベビーカーに関する。おむつ交換プラットフォームシステムは、複数の連動部分を有して構成されたプラットフォーム部材を含む。プラットフォーム部材は、プラットフォーム部材から突出して配置された少なくとも１つの連動部分上に乳幼児を着座させ得るように構成されている。プラットフォーム部材は、プラットフォーム部材が略平坦面を規定できるように配置され得るように構成され、これにより、その略平坦面上に乳幼児を横たわらせて配置することが可能とされる。ベビーカーのフレームは、プラットフォーム部材が少なくとも１つの連動部分上に乳幼児を着座させ得るように構成されている時には、おむつ交換プラットフォームシステムを受容し、これにより、ベビーカーを介しておむつ交換プラットフォームシステムを運ぶことが可能とされる。
【００３６】
本開示は、また、携行者の腰まわりに着用され得るように構成されたバンドを含む重量支持システムに関する。バンドは、少なくとも１つの支持構造を固定するための少なくとも１つの固定デバイスを含む。バンドと少なくとも１つの支持構造とは、着座支持部分がプラットフォーム部材から突出して配置され得るように構成されこれによりおむつ交換プラットフォームシステムが携行者によって運ばれている際にプラットフォーム部材から突出して配置された着座支持部分上に乳幼児を着座させ得るように構成されたおむつ交換プラットフォームシステムと、バックパックの携行者の胴体背面上に付帯されたそのバックパックと、フロントパックの携行者の胴体前面上に付帯されたそのフロントパックと、あるいは、これらの組合せと、のうちの１つを支持し得るように構成されている。よって、重量支持システムは、携行者の肩に対して印加される、おむつ交換プラットフォームシステムの着座支持部分上に着座した乳幼児の重量を低減するように構成されている、あるいは、携行者の肩に対して印加されるバックパックの重量を低減するように構成されている、あるいは、携行者の肩に対して印加されるフロントパックの重量を低減するように構成されている。
【００３７】
一態様では、少なくとも１つの支持構造は、バンドによって支持された少なくとも２つの支持リブを含み、この少なくとも２つの支持リブは、着座支持部分がプラットフォーム部材から突出して配置され得るように構成されこれによりプラットフォーム部材から突出して配置された着座支持部分上に乳幼児を着座させ得るように構成されたおむつ交換プラットフォームシステムと、バックパックの携行者の胴体背面上に付帯されたそのバックパックと、フロントパックの携行者の胴体前面上に付帯されたそのフロントパックと、あるいは、これらの組合せと、のうちの１つを支持し得るように構成されている。
【００３８】
一態様では、重量支持システムは、バンドによって支持された少なくとも１つの外骨格支持構造を含み、この少なくとも１つの外骨格支持構造は、着座支持部分がプラットフォーム部材から突出して配置され得るように構成されこれによりプラットフォーム部材から突出して配置された着座支持部分上に乳幼児を着座させ得るように構成されたおむつ交換プラットフォームシステムと、バックパックの携行者の胴体背面上に付帯されたそのバックパックと、フロントパックの携行者の胴体前面上に付帯されたそのフロントパックと、あるいは、これらの組合せと、のうちの１つを支持し得るように構成されている。
【００３９】
一態様では、少なくとも１つの外骨格支持構造は、少なくとも１つのプレート部材をさらに含む。着座支持部分がプラットフォーム部材から突出して配置され得るように構成されこれによりプラットフォーム部材から突出して配置された着座支持部分上に乳幼児を着座させ得るように構成されたおむつ交換プラットフォームシステムと、バックパックの携行者の胴体背面上に付帯されたそのバックパックと、フロントパックの携行者の胴体前面上に付帯されたそのフロントパックと、あるいは、これらの組合せと、のうちの１つは、少なくとも１つの外骨格支持構造に対して、内部に少なくとも１つのプレート部材を受容し得るように構成されて配置されたポケットをさらに含み、これにより、携行者が動いた場合であっても、着座支持部分がプラットフォーム部材から突出して配置され得るように構成されこれによりプラットフォーム部材から突出して配置された着座支持部分上に乳幼児を着座させ得るように構成されたおむつ交換プラットフォームシステムと、バックパックの携行者の胴体背面上に付帯されたそのバックパックと、フロントパックの携行者の胴体前面上に付帯されたそのフロントパックと、あるいは、これらの組合せと、のうちの１つに対して、外骨格支持構造を安定化させることができる。
【００４０】
上記において言及した利点及び他の利点は、図面を参照した本開示の様々な例示的な実施形態に関する以下の詳細な説明により、より明瞭となるであろう。
【図面の簡単な説明】
【００４１】
【図１】図１は、本開示の実施形態によるおむつ交換プラットフォームシステムを示す図であり、プラットフォーム部材を受容する構造フレーム支持部材であるとともに、プラットフォーム部材のうちの、このプラットフォーム部材から突出して配置された連動部分上に乳幼児が着座することを可能とし得るようにプラットフォーム部材を配置し得るように構成された構造フレーム支持部材であり、さらに、略平坦面を規定し得るようにプラットフォーム部材を配置することも可能とし、これにより、乳幼児をその略平坦面上に横たわらせることも可能とする、構造フレーム支持部材を含む。
【図２Ａ】図２Ａは、図１のおむつ交換プラットフォームシステムを示す右側面図であり、プラットフォーム部材から突出して配置された１つの連動部分上に乳幼児が着座することを可能とし得るように構成されたプラットフォームシステムを示している。
【図２Ｂ】図２Ｂは、図１のおむつ交換プラットフォームシステムを示す左側面図であり、おむつ交換プラットフォームシステムに関して図２Ａに図示された面とは反対側の面を示しているとともに、プラットフォーム部材から突出して配置された１つの連動部分上に乳幼児が着座することを可能とし得るように構成されたプラットフォームシステムを示している。
【図３】図３は、おむつ交換プラットフォームシステムを示す正面図であり、胴体支持フラップと、肩ストラップと、プラットフォーム部材に対して着脱可能に取り付け可能とされた衛生フラップと、を示している。
【図４】図４は、水平で平坦な状態とされたおむつ交換プラットフォームシステムを示す側面図であり、ストラップとハンドルとを含むとともに、キャリッジ内に配置されている。
【図５】図５は、図５の水平で平坦な状態とされたおむつ交換プラットフォームシステムを示す他の側面図であり、乳幼児がプラットフォーム部材上に横たわって示されているとともに、プラットフォーム部材から延びた位置とされた仕切り部材に対して取り付けられた追加的ストラップをさらに含む。
【図６】図６は、プラットフォーム部材のうちの、このプラットフォーム部材から突出して配置された連動部分上に乳幼児が着座することを可能とし得るようにプラットフォーム部材を配置し得るように構成されたおむつ交換プラットフォームシステムを示す図であり、おむつ交換プラットフォームシステムは、おむつ交換プラットフォームシステムを運ぶためにベビーカー内に配置されている。
【図７】図７は、プラットフォーム部材に対して取り付け可能とされかつプラットフォーム部材から取り外し可能とされた仕切り部材を含むおむつ交換プラットフォームシステムを示す図であり、仕切り部材は、プラットフォーム部材に対して平行な位置で図示されている。
【図８】図８は、図７のおむつ交換プラットフォームシステムを示す図であり、仕切り部材は、プラットフォーム部材から突出した位置で図示され、これにより、その上に物を置くことができるテーブル面を提供し得るとともに、おむつの交換時には、仕切りとして機能することができる。
【図９Ａ】図９Ａは、図１〜図６のおむつ交換プラットフォームシステムを示す側面図であり、プラットフォーム部材に対して平行な位置とされた仕切り部材を示している。
【図９Ｂ】図９Ｂは、図９Ａのおむつ交換プラットフォームシステムを示す側面図であり、プラットフォーム部材から突出した位置とされた仕切り部材であり、完全に係合する前の状態とされた仕切り部材を示している。
【図９Ｃ】図９Ｃは、図９Ａ〜図９Ｂのおむつ交換プラットフォームシステムを示す側面図であり、プラットフォーム部材から突出した位置とされた仕切り部材であり、完全に係合した後の状態とされた仕切り部材を示している。
【図９Ｄ】図９Ｄは、図１〜図６のおむつ交換プラットフォームシステムに関する代替可能な実施形態を示す側面図であり、プラットフォーム部材に対して平行な位置とされた仕切り部材を示している。
【図９Ｅ】図９Ｅは、おむつ交換プラットフォームシステムに関する代替可能な図９Ｄの実施形態を示す側面図であり、プラットフォーム部材から突出した位置とされた仕切り部材であり、完全に係合する前の状態とされた仕切り部材を示している。
【図９Ｆ】図９Ｆは、おむつ交換プラットフォームシステムに関する代替可能な図９Ｄ〜図９Ｅの実施形態を示す側面図であり、プラットフォーム部材から突出した位置とされた仕切り部材であり、完全に係合した後の状態とされた仕切り部材を示している。
【図１０】図１０は、本開示の実施形態によるおむつ交換プラットフォームシステムを示す図であり、プラットフォーム部材に対して、ロックされていないものの、係合された位置とされた仕切り部材を示している。
【図１１】図１１は、図１０における切断線１１−１１に基づくプラットフォーム部材の図を示し、仕切り部材のうちの、ロック解除位置とされたアーム部材を示している。
【図１２】図１２は、図１０における切断線１２に基づく図を示し、仕切り部材をプラットフォーム部材に対して所望の角度で取り付けるための、本開示の実施形態による角度位置ロック機構を示している。
【図１３Ａ】図１３Ａは、図１２の角度位置ロック機構を示す側面図であり、メス型平歯車は、係合解除位置又はロック解除位置にあり、メス型平歯車をオス型平歯車に対してロックするために利用される蝶ナットを示している。
【図１３Ｂ】図１３Ｂは、図１３Ａの角度位置ロック機構を示す側面図であり、メス型平歯車は、係合位置又はロック位置にあり、メス型平歯車をオス型平歯車に対してロックするために利用される蝶ナットを示している。
【図１４】図１４は、プラットフォーム部材の一方の側面を示す側面図であり、ロック機構と、プラットフォーム部材に対して９０°という角度とされた仕切り部材と、を示している。
【図１４Ａ】図１４Ａは、ロック位置とされた仕切り部材及びプラットフォーム部材を、図１４における切断線１４Ａ−１４Ａに沿って示す平面図である。
【図１４Ｂ】図１４Ｂは、図１４における切断線１４Ａ−１４Ａに基づくプラットフォーム部材の図を示し、仕切り部材のうちの、ロック位置とされたアーム部材を示している。
【図１５】図１５は、角度位置ロック機構に関する他の実施形態を示す側面図であり、仕切り部材をプラットフォーム部材に対して所望の角度で取り付けるために、スプリング付きの調節可能なラチェット及び爪からなる機構が利用されている。
【図１６】図１６は、本開示による、仕切り部材角度位置ロック機構に関する他の実施形態として機能し得るとともに適用され得る、さらに他の角度位置ロック機構を示す斜視図である。
【図１７Ａ】図１７Ａは、図１〜図６及び図９Ａ〜図９Ｃのおむつ交換プラットフォームシステムを示す側面図であり、プラットフォーム部材に対して平行な位置とされた構造フレーム部材を示している。
【図１７Ｂ】図１７Ｂは、図１７Ａのおむつ交換プラットフォームシステムを示す側面図であり、プラットフォーム部材の１つの連動部分は、プラットフォーム部材の上側連動部分から突出した位置とされ、プラットフォーム部材の他の連動部分たちは、プラットフォーム部材の上側連動部分から突出したその１つの連動部分から、９０°という角度で突出している。
【図１７Ｃ】図１７Ｃは、図１７Ａ〜図１７Ｂのおむつ交換プラットフォームシステムを示す側面図であり、プラットフォーム部材の他の連動部分たちの１つは、この時点では、図１７Ｂにおいてプラットフォーム部材の１つの連動部分がプラットフォーム部材から突出している向きに対して平行な向きでもって、プラットフォーム部材から突出した位置とされ、これにより、乳幼児をその１つの連動部分上に着座させることができ、折り曲げられた着座部分は、その上に着座している乳幼児を支持するための所定位置に保持され得る。
【図１７Ｄ】図１７Ｄは、図１〜図６及び図９Ｄ〜図９Ｆのおむつ交換プラットフォームシステムに関する代替可能な実施形態を示す側面図であり、プラットフォーム部材に対して平行な位置とされた支持部材を示している。
【図１７Ｅ】図１７Ｅは、おむつ交換プラットフォームシステムに関する代替可能な図１７Ｄの実施形態を示す側面図であり、支持部材の１つの部分は、プラットフォーム部材から突出した位置とされ、支持部材の他方の部分たちは、プラットフォーム部材から突出したその１つの部分から、９０°という角度で突出している。
【図１７Ｆ】図１７Ｆは、おむつ交換プラットフォームシステムに関する代替可能な図１７Ｄ〜図１７Ｅの実施形態を示す側面図であり、支持部材の他の部分たちの１つは、この時点では、図１１Ｂにおいて支持部材の１つの部分がプラットフォーム部材から突出している向きに対して平行な向きでもって、プラットフォーム部材から突出した位置とされ、これにより、乳幼児をその１つの部分上に着座させることができ、折り曲げられた着座部分は、その上に着座している乳幼児を支持するための所定位置に保持され得る。
【図１８】図１８は、図１７Ｂのおむつ交換プラットフォームシステムを示す正面図であり、ロック解除位置とされた場合の、プラットフォーム部材角度位置ロック機構の連動部分のオス型平歯車と、メス型平歯車及びアーム部材と、の間の相互接続を示している。
【図１９】図１９は、図１７Ｂのおむつ交換プラットフォームシステムを示す平面図であり、ロック位置とされた場合の、プラットフォーム部材角度位置ロック機構の連動部分のオス型平歯車と、メス型平歯車及びアーム部材と、の間の相互接続を示している。
【図２０】図２０は、図１９における断面２０−２０に沿って、ロック位置とされた場合の、プラットフォーム部材角度位置ロック機構の連動部分のオス型平歯車と、メス型平歯車とアーム部材と、の間の相互接続を示す側面図である。
【図２１】図２１は、おむつ交換プラットフォームシステムを示す斜視図であり、プラットフォーム部材に対して着脱可能に取り付け可能に構成されかつ互いに係合するように構成された少なくとも２つの乳幼児胴体支持フラップであって、乳幼児をプラットフォーム部材上に配置している際に乳幼児の胴体を拘束するように構成された少なくとも２つの乳幼児胴体支持フラップと、プラットフォーム部材に対して着脱可能に取り付け可能に構成されかつ乳幼児胴体支持フラップに対してそれぞれ着脱可能に係合するように構成された少なくとも２つの乳幼児肩支持フラップであって、乳幼児をプラットフォーム部材上に配置している際に乳幼児の肩を拘束するように構成された少なくとも２つの乳幼児肩支持フラップと、を示しており、本開示による仕切り部材の一実施形態をさらに示している。
【図２２】図２２は、図２１のおむつ交換プラットフォームシステムを示す斜視図であり、本開示による仕切り部材の他の実施形態を示している。
【図２３】図２３は、おむつ交換プラットフォームシステムを示す正面図であり、胴体支持フラップ及び肩ストラップの動きと、プラットフォーム部材に対して着脱可能に取り付け可能であるとともに支持部材とオーバーラップし得るように構成された乳幼児用衛生フラップの動きと、を示している。
【図２４】図２４は、おむつ交換プラットフォームシステムを示す正面図であり、プラットフォーム部材から取り外された衛生フラップを示している。
【図２５】図２５Ａは、コンパクトな構成へと折り畳まれたおむつ交換プラットフォームシステムを示す側面図である。  図２５Ｂは、コンパクトな構成へと折り畳まれた図２５Ａのおむつ交換プラットフォームシステムを示す端面図である。
【図２６Ａ】図２６Ａは、図２１又は図２２のおむつ交換プラットフォームシステムを示す斜視図であり、仕切り部材がなく、乳幼児を少なくとも１つの連動部分上に着座させ得るように、プラットフォーム部材の連動部分がプラットフォーム部材の上側連動部分から突出しており、複数のアーチ部材に対して着脱可能に取り付け可能な材料であるとともに耐候性構造を規定する材料と、さらなる複数のアーチ部材に対して着脱可能に取り付け可能な他の材料であるとともに虫除け構造を規定する他の材料と、をさらに含み、複数のアーチ部材と、さらなる複数のアーチ部材とは、部分的にしか展開されていない。
【図２６Ｂ】図２６Ｂは、図２１〜図２２及び図２６Ａのおむつ交換プラットフォームに対しての、図９Ｄ〜図９Ｆ及び図１７Ｄ〜図１７Ｆに示す代替可能な実施形態の斜視図である。
【図２７Ａ】図２７Ａは、おむつ交換プラットフォームシステムの斜視図を示し、垂直に配置されるとともにプラットフォーム部材に対してストラップ止めされた乳幼児の一部を示しているとともに、乳幼児上にわたってほぼ全体的に配置された耐候性構造及び虫除け構造をさらに示している。
【図２７Ｂ】図２７Ｂは、図２７Ａのおむつ交換プラットフォームシステムの他の斜視図を示し、垂直に配置されるとともにプラットフォーム部材にストラップ止めされた乳幼児の全体を示しているとともに、乳幼児上にわたってほぼ全体的に配置された耐候性構造及び虫除け構造をさらに示している。
【図２７Ｃ】図２７Ｃは、図２６のおむつ交換プラットフォームシステムを示す斜視図であり、複数のアーチ部材が、プラットフォーム部材上にわたって完全に展開されている。
【図２７Ｄ】図２７Ｄは、おむつ交換プラットフォームシステムの斜視図を示し、プラットフォーム部材に対して取り付けられた仕切り部材であって、プラットフォーム部材上において水平に配置された乳幼児の上方に延びる仕切り部材を示しているとともに、仕切り部材によって支持された材料であって、プラットフォーム部材上に配置された乳幼児の上方に展開された虫除け構造を規定する材料をさらに示している。
【図２８】図２８は、プラットフォーム部材に対して平行に配置された仕切り部材の他の態様を示す図であり、この態様は、内部に物品を保管するための複数のポケットを含む。
【図２９】図２９は、プラットフォーム部材に対して平行に配置された仕切り部材のさらに他の態様を示す図であり、この態様は、内部に物品を保管するための単一のポケットを含む。
【図３０】図３０は、おむつ交換プラットフォームシステムの携行者を示す図であり、携行者は、この携行者によって支持された少なくとも２つの肩ストラップでありかつおむつ交換プラットフォームシステムに対して取り付けられた少なくとも２つの肩ストラップを介して、おむつ交換プラットフォームシステムを支持している。
【図３１】図３１は、おむつ交換プラットフォームシステムに関する図３０の携行者を示す図であり、おむつ交換プラットフォームシステムの支持部材上に着座している乳幼児をさらに示している。
【図３２】図３２は、おむつ交換プラットフォームシステムに関する図３０及び図３１の携行者の背面図を示し、おむつ交換プラットフォームシステムと、このおむつ交換プラットフォームシステムの支持部材上に着座している乳幼児と、を支持するための、携行者まわりに構成された肩及び胴体ハーネスをさらに示している。
【図３３】図３３は、家具上に配置されるとともに仕切り部材の他の態様を含むおむつ交換プラットフォームシステムの他の態様を示す。
【図３４】図３４は、図３０〜図３２の肩及び胴体ハーネスを示す図であり、携行者まわりのウェストバンドによって支持された支持リブは、着座位置とされた時には、おむつ交換プラットフォームシステムのための調節可能な重量支持を提供し得るように係合して構成され、これにより、携行者の肩に対して印加される乳幼児の重量を低減し得るとともに、その重量をウェストバンドへと及び携行者の中央部分へと伝達することができる。
【図３５】図３５は、ハイキング者や軍関係者等によって運ばれるものなどのバックパック又はフロントパックの下方のウェストバンド支持システムを示す図であり、ウェストバンドへと及び携行者の中央部分へと重量を伝達するように機能する。
【図３６】図３６は、おむつ交換プラットフォームシステムのシートを支持する、単一部材からなる湾曲した輪郭の「外骨格」支持システムを示す。
【図３６Ａ】図３６Ａは、携行者によって運ばれ得るフロントパックを支持する外骨格支持システムの先端又は端部の詳細を示す。
【図３６Ｂ】図３６Ｂは、おむつ交換プラットフォームシステムを支持しながら外骨格を安定化させ得るよう、おむつ交換プラットフォームシステムを支持するための平坦プレート端部を含む、図３６の外骨格支持システムの側面図を示す。
【図３６Ｃ】図３６Ｃは、おむつ交換プラットフォームシステムを支持するための平坦プレート端部を含む、図３６Ａの外骨格支持システムの正面図を示す。
【図３７Ａ】図３７Ａは、バックパックを支持し得るように構成されて配置された外骨格システムの一態様を示す。
【図３７Ｂ】図３７Ｂは、バックパックを支持し得るように構成されて配置された外骨格システムの他の態様を示す。
【発明を実施するための形態】
【００４２】
本開示の実施形態は、乳幼児を支持部材上に着座させた状態で携行することを可能とするとともに、乳幼児の携行時に及びおむつの交換時に仕切り部材を配置することを可能として汚れの広がりを低減することができ、さらに、虫除け及び天候保護を可能とする材料を乳幼児の上方に配置することを可能とする、携帯用おむつ交換プラットフォームシステムに関連することにより、上記の望ましくない結果に対処する有意なかつ非自明な利点を提供する。
【００４３】
本明細書における定義としては、乳幼児とは、その体重が、おむつ交換プラットフォームシステムの構造限界を下回っている子供、及び、本明細書においてさらに説明するその個々の構成要素の構造限界を下回っている子供、を指す。本開示のおむつ交換プラットフォームシステムは、また、そのような子供の体重が、設計されたおむつ交換プラットフォームシステムの構造限界内である限りにおいては、及び、おむつ交換プラットフォームシステムの携行者の能力の範囲内である限りにおいては、そのような子供を携行する目的で、もはやおむつを必要としない子供に対しても適用することができる。
【００４４】
本明細書における定義としては、携行者とは、親、保護者、介護者、親戚、親の友人、医療従事者、法的執行機関担当者又は緊急サービス担当者、等も含めて、本明細書において記載されている目的のために、おむつ交換システム又はその明白な変形例を操作し得る男性又は女性の任意の人物である。
【００４５】
おむつ交換プラットフォームシステムの用途は、人間に限定されるものではなく、犬、猫、小豚等の動物に対しても適用することができ、特に、それらの動物を輸送する目的とすることができ、おむつ交換プラットフォームシステムの構造設計限界及び携行者の能力も考慮される。
【００４６】
本開示の原理に関する理解を促進する目的で、以下においては、図面に図示された例示的な実施形態が参照されることとなるとともに、それら例示的な実施形態を説明するために、特定の言語が使用されることとなる。それでもなお、それによって本開示の範囲を何ら限定しないことが意図されていることは、理解されよう。当業者には自明であるような及び本開示が所有しているような、本明細書において例示した本発明の特徴に関する任意の変更及びさらなる修正は、ならびに、本明細書において例示した本開示の原理に関する任意の追加的用途は、本開示の範囲内であると考えられる。
【００４７】
「例示的」という用語は、本明細書では、「例、事例、又は例示として機能すること」を意味するために使用することができる。「例示的」なものとして本明細書において説明する任意の実施形態は、必ずしも、他の実施形態よりも好ましいものあるいは有利なものであると解釈されるべきではない。
【００４８】
本明細書において説明する方法ステップが、必ずしも、説明した順序で実行される必要はないことは、理解されよう。さらに、「その後に」、「その後」、「次に」等の用語は、ステップの順序を限定することを意図したものではない。それらの用語は、方法ステップの説明を通して読者を導くために、単に使用されているに過ぎない。
【００４９】
したがって、図１は、本開示の実施形態によるおむつ交換プラットフォームシステム１０００を示し、このおむつ交換プラットフォームシステム１０００は、プラットフォーム部材のうちの、このプラットフォーム部材から突出して配置された連動部分上に乳幼児が着座することを可能とし得るようにプラットフォーム部材１０１０を配置し得るように構成されたプラットフォーム部材１０１０であり、さらに、乳幼児を略平坦面１０１２上に横たわらせることを可能とし得るよう、略平坦面１０１２を規定し得るようにプラットフォーム部材を配置することも可能とするプラットフォーム部材１０１０を含む。
【００５０】
本明細書における定義としては、「左」及び「右」などの方向は、背中がプラットフォーム部材前面１０１２上に配置された乳幼児であってプラットフォーム部材前面１０１２から離間して前向きとして配置された乳幼児による視野に対するものである。
【００５１】
また、「上」などの方向は、プラットフォーム部材前面１０１２上に配置された乳幼児の頭の位置に対するものであり、「下」などの方向は、プラットフォーム部材前面１０１２上に配置された乳幼児の足の位置に対するものである。そのような用語は、乳幼児が前面１０１２上に横たわっている場合などのようにプラットフォーム部材１０１０が略水平かつ平坦に配置されている場合であったとしても、本開示の実施形態の説明を容易にするために適用される。
【００５２】
プラットフォーム部材１０１０は、互いに連動し得るように構成された、上側連動部分１０７０と着座支持部分１０５０とを含む。
【００５３】
プラットフォーム部材１０１０は、ベース部材１５０５から長手方向に延びる第１側方部材１５１０とベース部材１５０５から同様に長手方向に延びる第２側方部材１５２０とを規定する、構造フレーム支持部材１５００内に受け入れ可能である。
【００５４】
図２Ａ、図２Ｂ、及び図３に関連してさらに示すように、プラットフォーム部材１０１０は、全体的に、丸められたコーナー１０１０ａ、１０１０ｂ、１０１０ｃ、１０１０ｄを有した矩形プレートという形態で構成することができる。プラットフォーム部材１０１０の下エッジ１０１０ｃｄは、丸められたコーナー１０１０ｃ、１０１０ｄの間に延びている。上エッジ１０１０ａｂは、丸められたコーナー１０１０ａ、１０１０ｂの間に延びている。
【００５５】
したがって、プラットフォーム部材１０１０の右側辺又は第１側辺１０１０ａｄは、丸められたコーナー１０１０ａ、１０１０ｄの間に延び、他方、プラットフォーム部材１０１０の左側辺又は第２側辺１０１０ｂｃは、丸められたコーナー１０１０ｂ、１０１０ｃの間に延びている。
【００５６】
図２Ａ、図２Ｂ、及び図３において最も明瞭に示すように、構造フレーム支持部材１５００は、第１側方部材１５１０内に形成された少なくとも２つの開口１５１１、１５１２を少なくとも部分的に介して、及び、第２側方部材１５２０内に形成された少なくとも２つの開口１５２１、１５２２を少なくとも部分的に介して、プラットフォーム部材１０１０を内部に受け入れるように構成されている。開口１５１１、１５１２は、第１側方部材１５１０内において、プラットフォーム部材１０１０の第１側辺１０１０ａｄに対して少なくとも部分的に相互作用するようにして形成され、他方、開口１５２１、１５２２は、第２側方部材１５２０内において、プラットフォーム部材１０１０の第２側辺１０１０ｂｃに対して少なくとも部分的に相互作用するようにして形成されている。
【００５７】
プラットフォーム部材１０１０は、第１側方部材１５１０に対して位置合わせされたままとされた第１側辺１０１０ａｄの一部と、ベース部材１５０５に対して位置合わせされたままとされた上エッジ１０１０ａｄの一部と、第２側方部材１５２０に対して位置合わせされたままとされた第２側辺１０１０ｂｃの一部と、を形成する上側連動部分１０７０を含んで構成されている。プラットフォーム部材１０１０は、さらに、第１側辺１０１０ａｄ上の右側端部又は第１側方端部１０５３ａから第２側辺１０１０ｂｃ上の左側端部又は第２側方端部１０５３ｂへと延びる接続部材１０５３を介して回転可能に結合される少なくとも２つの連動サブ部分１０５２、１０５４を含むように構成された着座支持部分１０５０を含んで構成されている。連動サブ部分１０５２は、第１側辺１０１０ａｄ及び第２側辺１０１０ｂｃ上にそれぞれ配置された接続部材１０５２ａ、１０５２ｂであって、第１側方部材１５１０内に形成された第１開口１５１１の内部と第２側方部材１５２０内に形成された第２開口１５１２の内部とのうちのそれぞれ対応する内部にわたって移動可能に配置された接続部材１０５２ａ、１０５２ｂを含む。連動サブ部分１０５４は、第１側辺１０１０ａｄ上の右側端部又は第１側辺端部の接続部材１０５５ａから第２側辺１０１０ｂｃ上の左側端部又は第２側辺端部の接続部材１０５５ｂまで延びる接続部材１０５５を介して、回転可能に結合することができる。右側端部又は第１側辺端部の接続部材１０５５ａと、左側端部又は第２側辺端部の接続部材１０５５ｂとは、第１側方部材１５１０の下部１５１０２及び第２側方部材１５２０の下部１５２０２にそれぞれ形成された第１開口１５２１及び第２開口１５２２のうちのそれぞれ対応する内部において、移動可能に配置されている。
【００５８】
上側連動部分１０７０と着座支持部分１０５０とは、プラットフォーム部材１０１０の第１側辺１０１０ａｄ上に取り付けられた接続部材１０７４ａと第２側辺１０１０ｂｃ上に取り付けられた接続部材１０７４ｂとを介して、互いに回転可能に結合されている。
【００５９】
第１側方部材１５１０と第２側方部材１５２０とは、それぞれ、第１側辺１０１０ａｄ上において上側連動部分１０７０に対して取り付けられた上部分１５１０１と、第２側辺１０１０ｂｃ上において上側連動部分１０７０に対して取り付けられた上部分１５２０１と、を含み、これら上部分１５１０１、１５２０１は、ベース部材１５０５から、第１側方部材１５１０及び第２側方部材１５２０の下部分１５１０２、１５２０２であってそれぞれが開口１５２１、１５２２を有した下部分１５１０２、１５２０２がそれぞれ旋回回転結合部分１０７２ａ、１０７２ｂに対して旋回可能に結合されている旋回回転結合部分１０７２ａ、１０７２ｂまでにわたって、延びており、これにより、上側連動部分１０７０と着座支持部分１０５０とは、下部分１５１０２、１５２０２の間に規定された空間容積内において、移動することが可能とされている。第１側方部材１５１０の下部分１５１０２と第２側方部材１５２０の下部分１５２０２とは、接続部材１０５２ａ、１０５５ａが、第１側方部材１５１０に形成された開口１５２１、１５２２の内部にわたって移動することを可能とし得るよう、及び、接続部材１０５２ｂ、１０５５ｂが、第２側方部材１５２０に形成された開口１５２１、１５２２の内部にわたって移動することを可能とし得るよう、第１側方部材１５１０及び第２側方部材１５２０から十分な距離の分だけ離間して延びている。
【００６０】
連動サブ部分１０５２、１０５４は、第１側方部材１５１０に形成された開口１５１１、１５１２の内部において移動可能に配置された接続部材１０５２ａ、１０５５ａの動きを介して、及び、第２側方部材１５２０に形成された開口１５２１、１５２２の内部において移動可能に配置された接続部材１０５２ｂ、１０５５ｂの動きを介して、例えばサブ部分１０５２などの、連動サブ部分の少なくとも１つが、プラットフォーム部材１０１０の上側連動部分１０７０からそれぞれ突出して配置され得るように、及び、この時点ではプラットフォーム部材１０１０の上側連動部分１０７０から突出して配置された連動サブ部分１０５２上に乳幼児を着座させ得るように配置され得るように、構成されている。
【００６１】
加えて、連動サブ部分１０５２、１０５４は、第１側方部材１５１０に形成された開口１５１１、１５１２の内部において移動可能に配置された接続部材１０５２ａ、１０５５ａの動きを介して、及び、第２側方部材１５２０に形成された開口１５２１、１５２２の内部において移動可能に配置された接続部材１０５２ｂ、１０５４ｂの動きを介して、連動サブ部分１０５２、１０５４が、プラットフォーム部材１０１０の上側連動部分１０７０からそれぞれ突出して配置され得るように、及び、プラットフォーム部材１０１０の前面１０１２が、乳幼児が略平坦面上に横たわって配置されることを可能とする略平坦面を規定し得るように、構成されている。
【００６２】
したがって、着座支持部分１０５０は、少なくとも連動サブ部分１０５２、１０５４を含むようにして構成され、この場合、少なくとも１つの連動サブ部分１０５２は、この連動サブ部分１０５２上に乳幼児が着座することを可能とし得るよう、プラットフォーム部材１０１０の上側連動部分１０７０から突出して配置することができる。
【００６３】
さらに、プラットフォーム部材１０１０の着座支持部分１０５０は、例えばサブ部分１０５２などの、プラットフォーム部材１０１０から突出して配置された他の１つの連動サブ部分上に乳幼児を着座させている時に、例えばサブ部分１０５４などの、連動サブ部分のさらに他の少なくとも１つが、乳幼児の下肢の背面側に配置され得るよう、少なくとも３つの連動サブ部分１０５２、１０５４、１０５６から構成することができる。
【００６４】
例えばサブ部分１０５６などの、連動サブ部分の別の少なくとも１つは、例えばサブ部分１０５２などの、プラットフォーム部材１０１０から突出して配置された他の少なくとも１つの連動サブ部分上に乳幼児を着座させている時に、乳幼児の足を上面上に置き得るよう、プラットフォーム部材１０１０から突出して配置され得るように、構成されている。
【００６５】
図３に関連して、図７及び図８においてさらに説明すると、おむつ交換プラットフォームシステム１０００は、プラットフォーム部材１０１０に対して取り付け可能とされかつプラットフォーム部材１０１０から取り外し可能とされた仕切り部材１０２０を、さらに含むことができる。仕切り部材１０２０は、プラットフォーム部材１０１０に対して平行な位置から、プラットフォーム部材１０１０から突出した位置へと、移動可能であり、これにより、その上に物を置くことを可能とするテーブル面を提供することができる。
【００６６】
また、図１、図２Ａ、及び図２Ｂに示すように、おむつ交換プラットフォームシステム１０００は、手動開口、又は、ハーネス支持開口、又は、ハンドホール、をさらに含むことができ、例えば、ベース部材１５０５の近くにおいて上側連動部分１０７０に規定された開口１１８４ａと、例えば図示のように連動サブ部分１０５４に規定されるかあるいは連動サブ部分１０５６に規定されるかのいずれかとされた開口１１８４ｂと、仕切り部材１０２０に規定された開口１１８４ｃと、をさらに含むことができる。開口１１８４ａ、１１８４ｂ、１１８４ｃは、それぞれ単独であるいは組み合わせて、おむつ交換プラットフォームシステム１０００の携行者が、おむつ交換プラットフォームシステム１０００を持ち上げることを可能とする。
【００６７】
図３は、おむつ交換プラットフォームシステム１０００を示す正面図であり、プラットフォーム部材１０１０の上側連動部分１０７０に対して取り付けられた胴体支持フラップ１１８０ａ、１１８０ｂ及び肩ストラップ１１８２ａ、１１８２ｂと、プラットフォーム部材１０１０の着座支持部材１０５０に対して着脱可能に取り付け可能な衛生フラップ１１８０ｃと、を示している。仕切り部材１０２０は、プラットフォーム部材１０１０から直角に延びる。支持フレーム部材１５００は、プラットフォーム部材１０１０の周囲において図示されている。
【００６８】
おむつ交換プラットフォームシステム１０００は、限定されないが、単なる例示として、ポリ塩化ビニル（ＰＶＣ）フォームシート、又は、ポリオレフィン、又は、プラットフォーム又は海洋用途に使用される材料を含めて当業者によって適切であると見なされるリサイクル可能材料又はリサイクルされた材料を含む他の材料、などの耐久性を有したプラスチックから、一般に製造することができるあるいは組み立てることができる。
【００６９】
衛生フラップ１１８０ｃは、限定されないが、プラスチックライニング又は同種のものなどを有したおむつパッド用に利用される材料から作製することができる。
【００７０】
図４は、水平で平坦な状態とされたおむつ交換プラットフォームシステム１０００を示す側面図であり、仕切り部材１０２０が設けられ、ストラップとハンドルとを含むとともに、キャリッジ１２５０（破線で示されている）内に配置されている。より具体的には、ストラップ１２５１は、上側連動部分１０７０に規定された手動開口又はハーネス支持開口又はハンドホール１１８４ａを通して取り付けることができ、他方、ストラップ１２５２は、着座支持部分１０５０に規定された手動開口又はハーネス支持開口又はハンドホール１１８４ｂを通して取り付けることができる。ストラップ１２５１、１２５２は、ハンドル１２５４を介して共通に結合することができ、これにより、携行者に対して取り付けられていない時に、携行者がおむつ交換プラットフォームシステム１０００を運ぶこと及び持ち上げることを容易とすることができる。
【００７１】
図５は、図５の水平で平坦な状態とされたおむつ交換プラットフォームシステム１０００を示す他の側面図であり、乳幼児１０が、平坦な状態でプラットフォーム部材１０１０上に横たわって示されているとともに、仕切り部材１０２０に対して取り付けられた追加的ストラップ１２５３をさらに含む。仕切り部材１０２０は、プラットフォーム部材１０１０から延びた位置とされている。ストラップ１２５１、１２５２、１２５２は、ハンドル１２５４を介して共通に結合することができる。この構成では、システム１０００は、三角形状のサイドガード又はフラップ１２６１ａ、１２６１ｂ、１２６２ａ、１２６２ｂを有するものとしてさらに図示され、この場合、サイドガード１２６１ａは、仕切り部材１０２０と上側連動部分１０７０との間において第１側辺１０１０ａｄ上に配置され、サイドガード１２６２ａは、仕切り部材１０２０と着座支持部分１０５０との間において第１側辺１０１０ａｄ上に配置され、サイドガード１２６１ｂは、仕切り部材１０２０と上側連動部分１０７０との間において第２側辺１０１０ｂｃ上に配置され、サイドガード１２６２ｂは、仕切り部材１０２０と着座支持部分１０５０との間において第２側辺１０１０ｂｃ上に配置されている。
【００７２】
図６は、連動サブ部分１０５２上に乳幼児が着座することを可能とし得るように構成された図１及び図２の状態でおむつ交換プラットフォームシステム１０００を示し、おむつ交換プラットフォームシステム１０００は、おむつ交換プラットフォームシステム１０００を運ぶためにベビーカー１６００のフレーム１６０２内に配置されている。ベビーカー１６００は、単に例示として示されているに過ぎず、折り畳み可能なタイプのベビーカーとすることもでき、また、剛性のタイプのベビーカーとすることもでき、さらに、複数の子供を携行するタイプのベビーカーとすることもできる。ベビーカー１６００は、一般に、車輪１６０４をも含むこととなる。
【００７３】
図６の例では、おむつ交換プラットフォームシステム１０００は、乳幼児が着座部分１０５０上に着座し得る位置にあり、プラットフォーム部材１０１０が、ベビーカーのフレーム１６０２よりもかなり狭いことが図示されており、それは、一般に、携行者がシステム１０００と乳幼児との双方を運ぶに際しては、おむつ交換プラットフォームシステム１０００のサイズ及び重量を、乳幼児のサイズ及び重量と一緒に考慮しなければならないから予想されるとおりである。
【００７４】
これを考慮して、ベビーカー１６００の例に関し、ベビーカーのフレーム１６０２は、右側方の上側セグメント１６０２ａ１と、左側方の上側セグメント１６０２ｂ１と、を含む。右側方の上側セグメント１６０２ａ１は、回転可能なジョイント１６０８ａを介して、右側方の下側セグメント１６０２ａ２に対して結合され、他方、左側方の上側セグメント１６０２ｂ１は、回転可能なジョイント１６０８ｂを介して、左側方の下側セグメント１６０２ｂ２に対して結合されている。
【００７５】
ベビーカー１６００内におけるシステム１０００の支持のために、上側ブレース１６０８が、回転可能なジョイント１６０８ａと回転可能なジョイント１６０８ｂとの間において、ベビーカーのフレーム１６０２を横切って延びることができ、システム１０００とこのシステム１０００上に着座した乳幼児とを支持するに際して当該技術分野において公知の手段を介して、旋回回転ジョイント１０７２ａ、１０７２ｂに対して相互作用することができる。
【００７６】
下側ブレース１６０６が、同様に、右側方の下側セグメント１６０２ａ２から左側方の下側セグメント１６０２ｂ２へと、ベビーカーのフレーム１６０２を横切って延びることができ、これにより、プラットフォーム部材１０１０が着座構成とされていて、ベビーカー１６００内に配置されている時には、接続部材１０５３の第１側辺１０１０ａｄ上の右側端部又は第１側方端部１０５３ａと、第２側辺１０１０ｂｃ上の左側端部又は第２側方端部１０５３ｂと、を相互作用させることができる。
【００７７】
丸められたコーナー１０１０ａ、１０１０ｂの間に延びる上エッジ１０１０ａｂの寸法と、丸められたコーナー１０１０ｃ、１０１０ｄの間に延びる下エッジ１０１０ｃｄの寸法と、によって表されるものとしての、おむつ交換プラットフォームシステムの幅を、ベビーカーのフレーム１６０２の幅に対して略一致し得るようにあるいは緊密に適合し得るように、必要に応じて増大させ得ることは、理解されよう。
【００７８】
図７は、図示の簡略化を目的として、構造フレーム支持部材１５００を示すことなく、おむつ交換プラットフォームシステム１０００を図示している。理解されるように、プラットフォーム部材１０１０は、おむつ交換のために乳幼児を配置し得るように構成され、おむつ交換プラットフォームシステム１０００は、プラットフォーム部材１０１０に対して取り付け可能とされかつプラットフォーム部材１０１０から取り外し可能とされた仕切り部材１０２０を含み、仕切り部材１０２０は、プラットフォーム部材１０１０に対して平行な位置で図示されている。図３に関して上述したように、プラットフォーム部材１０１０は、丸められたコーナー１０１０ａ、１０１０ｂ、１０１０ｃ、１０１０ｄを有した矩形プレートという形態で、全体的に構成されている。
【００７９】
以下においてさらに詳細に説明するように、仕切り部材１０２０は、プラットフォーム部材１０１０に対して取り付け可能でありかつプラットフォーム部材１０１０から取り外し可能であり、図７に示すようなプラットフォーム部材１０１０に対して平行な位置から、プラットフォーム部材１０１０から突出した位置へと、矢印Ａの向きに移動可能であり、これにより、その上に物を置くことを可能とするテーブル面１０２２を提供することができる。仕切り部材１０２０は、プラットフォーム部材１０１０上に配置された乳幼児の周囲に仕切り部材１０２０を配置することを可能とする中央空間１０２４を形成する円弧又はアーチとして、全体的に構成されている。
【００８０】
仕切り部材１０２０は、プラットフォーム部材１０２０の右エッジ１０２０ａに対して略平行に延在した右側アーム部材１０２６ａであって、右側位置連動レセプタクル部材１０２８ａに対して接続された右側アーム部材１０２６ａを含む。仕切り部材１０２０は、さらに、プラットフォーム部材１０２０の左エッジ１０２０ｂに対して略平行に延在した対応する左側アーム部材１０２６ｂであって、左側位置連動レセプタクル部材１０２８ｂに対して接続された対応する左側アーム部材１０２６ｂを含む。
【００８１】
図１〜図６において上述したように、プラットフォーム部材１０１０と仕切り部材１０２０とは、本明細書においてはさらには説明しない手動開口又はハーネス支持開口又はハンドホール１１８４ａ、１１８４ｂ、１１８４ｃをさらに含むことができる。
【００８２】
図１０〜図１４Ｂに関して以下においてさらに説明するように、プラットフォーム部材１０１０は、右側位置連動レセプタクル部材１０２８ａと係合する右側位置連動係合部材１０１８ａと、左側位置連動レセプタクル部材１０２８ｂと係合する対応する左側位置連動係合部材１０１８ｂと、を含む。
【００８３】
図８は、図７のおむつ交換プラットフォームシステム１０００を示し、この場合、仕切り部材１０２０が、図７における矢印Ａの向きに回転駆動され、そのため、プラットフォーム部材１０１０から突出した位置で図示され、これにより、その上に物を置くことを可能とするテーブル面１０２２を提供し得るとともに、おむつの交換時に仕切りとして機能することができる。乳幼児１０は、プラットフォーム部材表面１０１２上に配置された状態で、さらに、仕切り部材１０２０がなす円弧又はアーチによって形成された中央空間１０２４内に配置された状態で、図示されている。
【００８４】
図９Ａは、おむつ交換プラットフォームシステム１０００を示す側面図である。プラットフォーム部材１０１０は、上側連動部分１０７０と、プラットフォーム部材１０１０の下側部分をなす着座支持部分１０５０と、を含んで構成されている。仕切り部材１０２０は、上側連動部分１０７０に対して平行な位置とされている。着座支持部分１０５０は、一般に、右側位置連動係合部材１０１８ａから及び左側位置連動係合部材１０１８ｂから、プラットフォーム部材１０１０のうちの、丸められたコーナー１０１０ｃ、１０１０ｄの間に延びる下エッジ１０１０ｃｄに向けて、延びている。上エッジ１０１０ａｂは、丸められたコーナー１０１０ａ、１０１０ｂの間に延びている。おむつ交換プラットフォームシステム１０００のための肩及び胴体ハーネス１１００については、図３０〜図３２に関して以下においてさらに説明する。肩及び胴体ハーネス１１００は、プラットフォーム部材１０１０に対して着脱可能に取り付け可能かつ取り外し可能とされた携行者胴体ストラップ１１２０に対して接続された右肩ストラップ１１１０ａを含む。
【００８５】
図９Ｂは、おむつ交換プラットフォームシステム１０００を示す側面図であり、プラットフォーム部材１０１０から突出した位置とされた仕切り部材１０２０であり、完全に係合する前の状態とされた仕切り部材１０２０を示している、すなわち、プラットフォーム部材表面１０１２から離間距離ｄ１のところに位置した仕切り部材１０２０を示している。着座支持部材１０５０は、一般に、右側位置連動係合部材１０１８ａから及び左側位置連動係合部材１０１８ｂから、プラットフォーム部材１０１０のうちの、丸められたコーナー１０１０ｃ、１０１０ｄの間に延びる下エッジ１０１０ｃｄに向けて、延びたものとして図示されている。
【００８６】
図９Ｃは、おむつ交換プラットフォームシステム１０００を示す側面図であり、プラットフォーム部材１０１０から突出した位置とされた仕切り部材１０２０であり、完全に係合した後の状態とされた仕切り部材１０２０を示している、すなわち、プラットフォーム部材表面１０１２から最小距離ｄ２のところへと移動した仕切り部材１０２０を示している。
【００８７】
図９Ｄ〜図９Ｆは、おむつ交換プラットフォームシステム１０００の代替可能な実施形態を示し、特に、図９Ｄ〜図９Ｆにおいては、おむつ交換プラットフォーム２０００が図示されている。
【００８８】
図９Ｄは、おむつ交換プラットフォームシステムの代替可能な実施形態２０００を示す側面図である。プラットフォーム部材２０１０のプラットフォーム部材表面２０１２は、上側プラットフォーム部材表面２０１２’と、下側プラットフォーム部材表面２０１２”と、を規定している。
【００８９】
仕切り部材２０２０は、プラットフォーム部材表面２０１２に対して平行な位置とされており、より具体的には、下側プラットフォーム部材表面２０１２”とオーバーラップしている。下側プラットフォーム部材表面２０１２”は、プラットフォーム部材表面２０１２内に、凹所を規定し、この凹所が、全体的に、右側位置連動係合部材２０１８ａから及び左側位置連動係合部材２０１８ｂから、プラットフォーム部材２０１０のうちの、丸められたコーナー２０１０ｃ、２０１０ｄの間に延びる下エッジ２０１０ｃｄに向けて、延びている着座支持部分２０５０を受容する。右側位置連動係合部材１０１８ａ及び右側位置連動レセプタクル部材１０２８ａ（ならびに、左側位置連動係合部材１０１８ｂ及び左側位置連動レセプタクル部材１０２８ｂ）の場合と同様に、プラットフォーム部材２０１０は、右側位置連動レセプタクル部材２０２８ａを介して、仕切り部材２０２０の右側アーム部材２０２６ａに対して及び左側アーム部材２０２６ｂに対して、堅固に接続されている。上エッジ２０１０ａｂは、丸められたコーナー２０１０ａ、２０１０ｂの間に延びている。おむつ交換プラットフォームシステム１０００の場合と同様に、おむつ交換プラットフォームシステム２０００のための肩及び胴体ハーネス１１００については、図３２〜図３４に関して以下においてさらに説明する。肩及び胴体ハーネス１１００は、プラットフォーム部材２０１０に対して着脱可能に取り付け可能かつ取り外し可能とされた携行者胴体ストラップ１１２０に対して接続された右肩ストラップ１１１０ａを含む。
【００９０】
図９Ｅは、おむつ交換プラットフォームシステム２０００を示す側面図であり、プラットフォーム部材２０１０から突出した位置とされた仕切り部材２０２０であり、完全に係合する前の状態とされた仕切り部材２０２０を示している、すなわち、プラットフォーム部材表面２０１２から離間距離ｄ１のところに位置した仕切り部材２０２０を示している。着座支持部分２０５０は、下側プラットフォーム部材表面２０１２”によってプラットフォーム部材表面２０１２に規定された凹所内に留まった状態で図示されている。
【００９１】
図９Ｆは、おむつ交換プラットフォームシステム２０００を示す側面図であり、プラットフォーム部材２０１０から突出した位置とされた仕切り部材２０２０であり、完全に係合した後の状態とされた仕切り部材２０２０を示している、すなわち、プラットフォーム部材表面２０１２から最小距離ｄ２のところへと移動した仕切り部材２０２０を示している。
【００９２】
おむつ交換プラットフォームシステム２０００は、また、おむつ交換プラットフォームシステム１０００に関して上記において示したものと同じタイプの材料から製造することができる。
【００９３】
仕切り部材１０２０、２０２０を、図９Ｂ〜図９Ｃ及び図９Ｅ〜図９Ｆに示す９０°の位置にそれぞれ維持するために、当該技術分野において公知の様々なクイックリリースコネクタを適用することができ、例えば、ＵＰＰＡｂａｂｙ（登録商標）（Ｒｏｃｋｌａｎｄ、Ｍａｓｓａｃｈｕｓｅｔｔｓ、米国）Ｍｅｓａ  Ｃａｒ  Ｓｅａｔ、又は、Ｍａｍａｓ＆Ｐａｐａｓ  Ａｒｍａｄｉｌｌｏ  Ｂｕｍｐｅｒ  Ｂａｒ  Ｓｔｒｏｌｌｅｒ  Ａｃｃｅｓｓｏｒｙ（Ｍａｍａｓ＆Ｐａｐａｓ（Ｒｅｔａｉｌ）Ｌｔｄ．、英国）、又は、他の適切な同様のコネクタ、などの、チャイルドカーシート用に又はベビーカー用に製造されたものなどを適用することができる。
【００９４】
本開示によるコネクタの実施形態について、図１０〜図１４Ｂにおいて以下説明する。
【００９５】
図１０は、本開示の実施形態によるおむつ交換プラットフォームシステム１０００（又は２０００）を示す図であり、プラットフォーム部材１０１０に対して、ロックされていないものの、係合された位置とされた仕切り部材１０２０を示している。右側位置連動係合部材１０１８ａは、プラットフォーム部材１０１０のエッジ１０１０ａｄ上に堅固に配置されており、これにより、仕切り部材１０２０の右側アーム部材１０２６ａに対して堅固に接続された右側位置連動レセプタクル部材１０２８ａに対して係合している。それに対応して、左側位置連動係合部材１０１８ｂは、プラットフォーム部材１０１０のエッジ１０１０ｂｃ上に堅固に配置されており、これにより、仕切り部材１０２０の左側アーム部材１０２６ｂに対して堅固に接続された左側位置連動レセプタクル部材１０２８ｂに対して係合している。
【００９６】
本開示の以下の詳細は、おむつ交換プラットフォームシステム１０００に関して全体的に説明されているけれども、本開示の利益を有する当業者であれば、本開示の以下の詳細が、おむつ交換プラットフォームシステム２０００に対して適用可能であることを、また、おむつ交換プラットフォームシステム１０００又はおむつ交換プラットフォームシステム２０００から自明な他の実施形態に対して適用可能であることを、認識するであろうことに、留意されたい。
【００９７】
右側アーム部材１０２６ａと左側アーム部材１０２６ｂとは、互いに鏡像として構成され、図１３Ａ及び図１３Ｂにおいて詳細にかつ最も明瞭に図示されている。右側アーム部材１０２６ａは、仕切り部材インターフェースセグメント１０２６ａ１という形態で構成され、この仕切り部材インターフェースセグメント１０２６ａ１は、ねじ山付きロッド１０３０ａと例えば蝶ナットなどのねじ山付きロッド調節手段１０３２ａとからなる形態の右側位置連動レセプタクル部材調節機構を有した右側位置連動レセプタクル部材調節セグメント１０２６ａ２に対して角度ａ１でもって接続されている。右側アーム部材１０２６ａは、さらに、右側位置連動レセプタクル部材調節セグメント１０２６ａ２に対して角度ａ２でもって接続されかつ右側位置連動レセプタクル部材１０２８ａに対して接続された、右側位置連動レセプタクル部材コネクタセグメント１０２６ａ３を含む。
【００９８】
同様に、右側アーム部材１０２６ａに関して鏡像構成で、左側アーム部材１０２６ｂは、仕切り部材インターフェースセグメント１０２６ｂ１という形態で構成され、この仕切り部材インターフェースセグメント１０２６ｂ１は、ねじ山付きロッド１０３０ｂと例えば蝶ナットなどのねじ山付きロッド調節手段１０３２ｂとからなる形態の左側位置連動レセプタクル部材調節機構を有した左側位置連動レセプタクル部材調節セグメント１０２６ｂ２に対して角度ｂ１でもって接続されている。左側アーム部材１０２６ｂは、さらに、左側位置連動レセプタクル部材調節セグメント１０２６ｂ２に対して角度ｂ２でもって接続されかつ左側位置連動レセプタクル部材１０２８ｂに対して接続された、左側位置連動レセプタクル部材コネクタセグメント１０２６ｂ３を含む。
【００９９】
当該技術分野において公知なように、位置連動レセプタクル部材調節機構として、ねじ山付きロッド１０３０ａ、１０３０ｂ及び蝶ナット１０３２ａ、１０３２ｂと機能的に同等の他の調節機構を使用することができる。
【０１００】
図１１Ａは、図１０における断面１１Ａ−１１Ａに基づいてプラットフォーム部材１０１０を示す図であり、ロック解除位置とされた仕切り部材１０２０のアーム部材１０２６ａ、１０２６ｂを図示している。より具体的には、上述したように、仕切り部材１０２０は、全体的に、プラットフォーム部材１０１０上に配置された乳幼児の周囲に仕切り部材１０２０を配置することを可能とする中央空間１０２４を形成する円弧又はアーチとして構成されている。よって、仕切り部材の右側エッジ面１０２０ａｄ及び左側エッジ面１０２０ｂｄは、それぞれ、円弧又はアーチがなす中央空間１０２４に対して隣接しているとともに、プラットフォーム部材前面１０１２に対して近接している。仕切り部材１０２０は、右側円弧又はアーチベース部分１０２１ａと、左側円弧又はアーチベース部分１０２１ｂと、を規定し、仕切り部材の右側エッジ面１０２０ａｄは、右側円弧又はアーチベース部分１０２１ａの近位端と一致し、仕切り部材の左側エッジ面１０２０ｂｃは、左側円弧又はアーチベース部分１０２１ｂの近位端と一致している。
【０１０１】
仕切り部材１０２０の右側アーム部材１０２６ａは、仕切り部材の右側エッジ面１０２０ａｄから遠位向きに延びる右側円弧又はアーチベース部分１０２１ａ内に規定されたチャネル１０２１ａ’内に受容されている。同様に、仕切り部材１０２０の左側アーム部材１０２６ｂは、仕切り部材の左側エッジ面１０２０ｂｃから遠位向きに延びる左側円弧又はアーチベース部分１０２１ｂ内に規定されたチャネル１０２１ｂ’内に受容されている。
【０１０２】
図１１Ａでは、右側アーム部材１０２６ａは、ロック解除位置で図示されており、右側アーム部材１０２６ａは、プラットフォーム部材１０２０の右エッジ１０２０ａに最も近い位置に向けて、チャネル１０２１ａ’内において変位している。同様に、左側アーム部材１０２６ｂは、ロック解除位置で図示されており、左側アーム部材１０２６ｂは、プラットフォーム部材１０２０の左エッジ１０２０ｂに最も近い位置に向けて、チャネル１０２１ｂ’内において変位している。
【０１０３】
図１２は、図１０における断面１２に基づく図を示しており、それらの間に開口を規定するギヤ歯１０３４ａ１〜１０３４ａｎ、１０３４ｂ１〜１０３４ｂｎを有したメス型平歯車として、右側位置連動レセプタクル部材１０２８ａ又は左側位置連動レセプタクル部材１０２８ｂのいずれかを示している。
【０１０４】
図１２は、また、ギヤ歯１０１６ａ１〜１０１６ａｎ、１０１６ｂ１〜１０１６ｂｎを有したオス型平歯車として、右側位置連動係合部材１０１８ａ又は左側位置連動係合部材１０１８ｂのいずれかを示しており、右側アーム部材１０２６ａと左側アーム部材１０２６ｂとが、ねじ山付きロッド調節手段１０３２ａの操作を介して右側位置連動レセプタクル部材調節機構ロッド１０３０ａに沿って、及び、ねじ山付きロッド調節手段１０３２ｂの操作を介して左側位置連動レセプタクル部材調節機構ロッド１０３０ｂに沿って、図１４Ｂに示すように中央空間１０２４に向けて、図１３Ｂに示す位置へと移動した時には、ギヤ歯１０１６ａ１〜１０１６ａｎ、１０１６ｂ１〜１０１６ｂｎは、メス型平歯車のギヤ歯１０３４ａ１〜１０３４ａｎ、１０３４ｂ１〜１０３４ｂｎの間に規定された開口の内部にそれぞれ受容される。
【０１０５】
これにより、メス型平歯車１０２８ａ、１０２８ｂは、それぞれ対応するオス型平歯車１０１８ａ、１０１８ｂと相互作用し、これにより、仕切り部材を、プラットフォーム部材に対して、図１２における所望の角度αでもって取り付けることができ、所望の角度αは、図１２及び図１４に示すように、右側アーム部材１０２６ａ及び左側アーム部材１０２６ｂに対して、ほぼ９０°である。しかしながら、０°〜１８０°という他の角度であっても、効果的なものとすることができる。
【０１０６】
右側アーム部材１０２６ａ又は左側アーム部材１０２６ｂと、右側位置連動レセプタクル部材１０２８ａ又は左側位置連動レセプタクル部材１０２８ｂと、位置連動レセプタクル部材調節機構又はそれらの機能的同等物としての、ねじ山付きロッド１０３０ａ、１０３０ｂに対しての、蝶ナット１０３２ａ、１０３２ｂの調節と、右側位置連動係合部材１０１８ａ又は左側位置連動係合部材１０１８ｂとは、右側仕切り部材角度位置ロック機構１０２５ａと左側仕切り部材角度位置ロック機構１０２５ｂとのいずれかを規定する。
【０１０７】
したがって、図１４は、プラットフォーム部材１０１０の右側面を示す側面図であり、仕切り部材１０２０をプラットフォーム部材１０１０に対して９０°という角度αで保持し得るよう、右側位置連動係合部材１０１８ａに対して連動された右側位置連動レセプタクル部材１０２８ａを示している。
【０１０８】
図１４Ａは、図１４における断面１４Ａ−１４Ａに沿っての、ロック位置とされた仕切り部材１０２０及びプラットフォーム部材１０１０を示す平面図である。
【０１０９】
上述したように、図１４Ｂは、図１４における断面１４Ｂ−１４Ｂに沿った図であり、図１３Ｂに示すロック位置に向けての、中央空間１０２４に向けた、ねじ山付きロッド調節手段１０３２ｂの動作を示している。
【０１１０】
図１５は、本開示によるロック機構の他の実施形態として機能し得るとともに適用され得る他の角度位置ロック機構１０４０を示す側面図であり、仕切り部材１０２０をプラットフォーム部材１０１０に対して所望の角度で取り付けるために、従来的なスプリング付きの調節可能なラチェット及び爪からなる機構１０４０が利用されている。左側アーム部材１０４２ａは、この場合には、アーム部材１０２６ａ、１０２６ｂに関して上述したものと同様の態様で、仕切り部材１０２０から延びている。しかしながら、調節可能なラチェット及び爪からなる機構１０４０は、ラチェット１０３６ａ上の所望の歯位置に対しての爪１０４８ａの係合又は係合解除を可能とするスプリング部材１０４６ａを駆動するために移動可能とされた、補助アーム部材１０４４ａを含む。ラチェット１０３６ａは、この場合には、プラットフォーム部材１０１０（図示せず）のエッジ１０１０ａｄ上に堅固に取り付けられている。ラチェット１０３６ａ及びプラットフォーム部材１０１０に対しての、アーム部材１０４２ａ及び仕切り部材１０２０がなす角度α’は、ラチェット１０３６ａの中心線１０３８ａまわりの回転によって、調節することができる。右側面の構成要素は、同様に構成されており、ここでは、これ以上の説明も図示もしない。
【０１１１】
図１６は、本開示による仕切り部材角度位置ロック機構の他の実施形態として機能し得るとともに適用され得るさらに他の角度位置ロック機構１０４５を示す斜視図であり、従来的なラチェットレンチ１０４６がソケット１０４８に対して係合することにより、プラットフォーム部材１０１０と仕切り部材１０２０との間の角度α又はα’を調節し得るとともに、プラットフォーム部材１０１０と仕切り部材１０２０との間において結果的に形成された位置を堅固にロックすることができる。ラチェットレンチ１０４６は、ソケット端部１０４８上に配置可能とされた開口１０４７を含む。ソケット１０４８は、上記において図４ｆｆに示す右側位置連動係合部材１０１８ａ又は左側位置連動係合部材１０１８ｂと同様の態様で、プラットフォーム部材１０１０に対して堅固に取り付けられている。ラチェットレンチ１０４６は、ソケット端部１０４８に対して及びプラットフォーム部材１０１０のエッジ１０１０ａｄ、１０１０ｂｃに対して、接近・離間する向きに移動可能であり、これにより、ソケット端部１０４８を開口１０４７内に受容し得るとともに、仕切り部材１０２０を、プラットフォーム部材１０１０に対して、所望の角度とする。ソケット端部１０４８は、内部に開口１０４９をさらに規定し、これにより、右側位置連動係合部材１０１８ａ又は左側位置連動係合部材１０１８ｂのいずれかと同様の連動係合部材（図示せず）を受容し得るとともに、それと係合することができる。
【０１１２】
図１７Ａは、図９Ａ〜図９Ｃのおむつ交換プラットフォームシステム１０００を示す側面図であり、プラットフォーム部材１０１０に対して平行な位置とされた着座支持部分１０５０を示しており、仕切り部材１０２０は、プラットフォーム部材表面１０１２から離間して突出している。
【０１１３】
図１７Ｂは、おむつ交換プラットフォームシステム１０００を示す側面図であり、着座支持部分１０５０の第１連動サブ部分又は着座連動サブ部分１０５２は、プラットフォーム部材１０１０から角度β１でもって突出した位置とされ、着座支持部分１０５０の、第２連動サブ部分又は肢載せ連動サブ部分１０５４と、第３連動サブ部分又は足置き連動サブ部分１０５６とは、プラットフォーム部材１０１０から突出した第１連動サブ部分又は着座連動サブ部分１０５２から、９０°という角度β２でもって突出している。着座支持部分１０５０は、この時点では、プラットフォーム部材表面１０１２から全体的に離間して突出している。
【０１１４】
図１７Ｃは、おむつ交換プラットフォームシステム１０００を示す側面図であり、着座支持部分１０５０の第３連動サブ部分又は足置き連動サブ部分１０５６は、この時点では、その上に乳幼児を着座させ得るように図９Ｂにおける着座部分１０５２がプラットフォーム部材１０１０から突出している方向に対して平行な方向でもって、プラットフォーム部材表面１０１２から突出した状態とされている。第３部分又は足置き部分は、第２連動サブ部分又は肢載せ連動サブ部分１０５４との間に形成された角度β３でもって突出している。図１８に関して後述するように、図１０〜図１４Ｂにおいて仕切り部材１０２０に関して上述したのと同様の態様で、折り畳み式の第１連動サブ部分又は着座連動サブ部分１０５２は、その上に着座した乳幼児などの子供を支持するための所定位置に、堅固にロックすることができる。
【０１１５】
図１７Ｄは、おむつ交換プラットフォームシステム２０００を示す側面図であり、プラットフォーム部材２０１０に対して平行な位置とされた着座支持部分２０５０を示しており、仕切り部材１０２０は、プラットフォーム部材表面２０１２から離間して突出している。図９Ｄに関して上述したように、下側プラットフォーム部材表面２０１２”は、プラットフォーム部材表面２０１２に、着座支持部分２０５０を受容する凹所を規定している。下側プラットフォーム部材表面２０１２”によって規定された凹所は、全体的に、右側位置連動係合部材２０１８ａから、及び、左側位置連動係合部材２０１８ｂから、プラットフォーム部材２０１０のうちの、丸められたコーナー２０１０ｃ、２０１０ｄの間に延びる下エッジ２０１０ｃｄに向けて、延びている。
【０１１６】
図１７Ｅは、おむつ交換プラットフォームシステム１０００を示す側面図であり、着座支持部分２０５０の第１連動サブ部分又は着座連動サブ部分２０５２は、プラットフォーム部材２０１０から角度β１でもって突出した位置とされ、着座支持部分２０５０の、第２連動サブ部分又は肢載せ連動サブ部分２０５４と、第３連動サブ部分又は足置き連動サブ部分２０５６とは、プラットフォーム部材２０１０から突出した第１連動サブ部分又は着座連動サブ部分２０５２から、９０°という角度β２でもって突出している。着座支持部分２０５０は、この時点では、下側プラットフォーム部材表面２０１２”によってプラットフォーム部材表面２０１２に規定された凹所から、全体的に突出している。
【０１１７】
図１７Ｆは、おむつ交換プラットフォームシステム２０００を示す側面図であり、着座支持部分２０５０の第３連動サブ部分又は足置き連動サブ部分２０５６は、この時点では、その上に乳幼児を着座させ得るように図９Ｅにおける着座連動サブ部分２０５２がプラットフォーム部材２０１０から突出している方向に対して平行な方向でもって、プラットフォーム部材から突出した状態とされている。第３連動サブ部分又は足置き連動サブ部分は、第２連動サブ部分又は肢載せ連動サブ部分２０５４との間に形成された角度β３でもって突出している。図１８に関して後述するように、図１０〜図１４Ｂにおいて仕切り部材１０２０に関して上述したのと同様の態様で、折り畳み式の第１連動サブ部分又は着座連動サブ部分２０５２は、その上に着座した乳幼児などの子供を支持するための所定位置に、堅固にロックすることができる。
【０１１８】
図１７Ａ〜図１７Ｃ及び図１７Ｄ〜図１７Ｆに示す様々な構成において着座支持部分１０５０、２０５０を維持するために、図９Ｂ〜図９Ｃ及び図９Ｅ〜図９Ｆに関して上述した仕切り部材１０２０、２０２０と同様の態様で、当該技術分野において公知の様々なクイックリリースコネクタを適用することができ、例えば、ＵＰＰＡｂａｂｙ（登録商標）（Ｒｏｃｋｌａｎｄ、Ｍａｓｓａｃｈｕｓｅｔｔｓ、米国）Ｍｅｓａ  Ｃａｒ  Ｓｅａｔ、又は、Ｍａｍａｓ＆Ｐａｐａｓ  Ａｒｍａｄｉｌｌｏ  Ｂｕｍｐｅｒ  Ｂａｒ  Ｓｔｒｏｌｌｅｒ  Ａｃｃｅｓｓｏｒｙ（Ｍａｍａｓ＆Ｐａｐａｓ（Ｒｅｔａｉｌ）Ｌｔｄ．、英国）、又は、他の適切な同様のコネクタ、などの、チャイルドカーシート用に又はベビーカー用に製造されたものなどを適用することができる。
【０１１９】
本開示によるコネクタの実施形態について、図１８〜図２０において以下説明する。
【０１２０】
図１８は、図１７Ｂのおむつ交換プラットフォームシステム１０００を示す正面図であって、相互接続の態様を示しており、着座支持部分１０５０の第１連動サブ部分又は着座連動サブ部分１０５２は、プラットフォーム部材１０１０から角度β１でもって突出した位置とされ、他方、第２連動サブ部分又は肢載せ連動サブ部分１０５４と、第３連動サブ部分又は足置き連動サブ部分１０５６とは、プラットフォーム部材１０５０から突出した第１連動サブ部分又は着座連動サブ部分１０５２から、９０°という角度β２でもって突出している。右側アーム部材１０２６ａ及び左側アーム部材１０２６ｂの場合、ならびに、右側位置連動レセプタクル部材１０２８ａ及び左側位置連動レセプタクル部材１０２８ｂの場合とそれぞれ全体的に同様の態様で、右側位置連動レセプタクル部材１０５８ａ１と左側位置連動レセプタクル部材１０５８ｂ１とは、第１連動サブ部分又は着座連動サブ部分１０５２のそれぞれ対応する右側アーム部材１０６４ａ及び左側アーム部材１０６４ｂ１に対して堅固に接続されている。
【０１２１】
プラットフォーム部材１０１０は、この時点では、プラットフォーム部材１０１０のエッジ１０１０ａｄ上に堅固に配置された右側位置連動係合部材１０６２ａであって、第１連動サブ部分又は着座連動サブ部分１０５２の右側アーム部材１０６４ａ１に対して堅固に接続された右側位置連動レセプタクル部材１０５８ａ１に対して係合するための右側位置連動係合部材１０６２ａを含む。
【０１２２】
第１連動サブ部分又は着座連動サブ部分１０５２は、第１連動サブ部分又は着座連動サブ部分１０５２の右エッジ１０５２ａから左エッジ１０５２ｂまでにわたって延びるねじ山付きロッド１０６３という形態の右側位置連動レセプタクル部材調節機構と、例えばねじ山付きロッド調節手段１０３０ａと同様の蝶ナットなどのねじ山付きロッド調節手段１０６６ａ１と、を含む。
【０１２３】
右側位置連動レセプタクル部材１０６２ａと右側位置連動レセプタクル部材１０５８ａ１とは、図１２に関して上述した右側位置連動係合部材１０２８ａ及び右側位置連動レセプタクル部材１０１８ａの場合と同様の態様で、構成されているとともに動作するものとされ、ここでは、ねじ山付きロッド調節手段１０６６ａ１の回転により、第１連動サブ部分又は着座連動サブ部分１０５２が、プラットフォーム部材１０１０に対して所望の角度β１でもってロックされる、あるいは、ロック解除される。
【０１２４】
同様に、プラットフォーム部材１０１０は、また、プラットフォーム部材１０１０のエッジ１０１０ｂｃ上に堅固に配置された左側位置連動係合部材１０６２ｂであって、第１連動サブ部分又は着座連動サブ部分１０５２の左側アーム部材１０６４ｂ１に対して堅固に接続された左側位置連動レセプタクル部材１０５８ｂ１と係合するための左側位置連動係合部材１０６２ｂを含む。
【０１２５】
第１連動サブ部分又は着座連動サブ部分１０５２は、また、例えばねじ山付きロッド調節手段１０３０ｂと同様の蝶ナットなどの、左側位置ねじ山付きロッド調節手段１０６６ｂ１を含む。
【０１２６】
この場合にも、左側位置連動係合部材１０６２ｂと左側位置連動レセプタクル部材１０８５ｂ１とは、図６に関して上述した左側位置連動係合部材１０２８ｂ及び左側位置連動レセプタクル部材１０１８ｂの場合と同様の態様で、構成されているとともに動作するものとされ、この場合にも、ねじ山付きロッド調節手段１０６６ｂ１の回転によって、第１連動サブ部分又は着座連動サブ部分１０５２が、プラットフォーム部材１０１０に対して所望の角度β１でもってロックされる、あるいは、ロック解除される。
【０１２７】
これに代えて、ねじ山付きロッド１０６３は、２つの独立したロッド（図示せず）によって置き換えられてもよく、一方は、右エッジ１０５２ａ上に配置され、他方は、左エッジ１０５２ｂ上に配置される。
【０１２８】
図６に関して上述したロック機構１０２５ａ、１０２５ｂの場合と同様の態様で、右側位置連動係合部材１０６２ａと、右側位置連動レセプタクル部材１０５８ａ１と、右側アーム部材１０６４ａ１と、ねじ山付きロッド調節手段１０６６ａ１と、ねじ山付きロッド１０６３とは、右側ロック機構１０２５ａと機能的に同様であるように構成され、第１右側支持部材ロック機構１０６８ａ１を規定する。
【０１２９】
加えて、左側位置連動係合部材１０６２ｂと、左側位置連動レセプタクル部材１０５８ｂ１と、左側アーム部材１０６４ｂ１と、ねじ山付きロッド調節手段１０６６ｂ１と、ねじ山付きロッド１０６３とは、左側ロック機構１０２５ｂと機能的に同様であるように構成され、第１左側支持部材ロック機構１０６８ｂ１を規定する。
【０１３０】
図１８は、さらに、第１連動サブ部分又は着座連動サブ部分１０５２と、第２連動サブ部分又は肢載せ連動サブ部分１０５４と、の間の相互作用を示している。第１連動サブ部分又は着座連動サブ部分１０５２と、第２連動サブ部分又は肢載せ連動サブ部分１０５４と、の間における所望の角度β２は、第２連動サブ部分又は肢載せ連動サブ部分１０５４を横切って延びているねじ山付きロッド１０６５に対してこの時点で接続されている右側支持部材ロック機構１０６８ａ２及び左側支持部材ロック機構１０６８ｂ２を介して、所定位置へと調節されてロックされる。
【０１３１】
図１８は、また、右側支持部材ロック機構１０６８ａ３及び左側支持部材ロック機構１０６８ｂ３のうちの、所望角度β３を確立するために第３連動サブ部分又は足置き連動サブ部分１０５６に対して接続された部分を図示している。
【０１３２】
右側支持部材ロック機構１０６８ａ２、１０６８ａ３及び左側支持部材ロック機構１０６８ｂ２、１０６８ｂ３の構成及び動作が、右側支持部材ロック機構１０６８ａ１及び左側支持部材ロック機構１０６８ｂ１と実質的に同じであるため、これらについては、さらに詳細には説明しない。
【０１３３】
図１９は、図１７Ｂのおむつ交換プラットフォームシステムを示す平面図であり、プラットフォーム部材１０１０から角度β１でもって突出している時の第１連動サブ部分又は着座連動サブ部分１０５２を示しているとともに、共にロック位置とされた、ねじ山付きロッド調節手段１０６６ａ２及び右側位置連動レセプタクル部材１０５８ａ２を含む右側支持部材ロック機構１０６８ａ２と、ねじ山付きロッド調節手段１０６６ｂ２及び左側位置連動レセプタクル部材１０５８ｂ２を含む左側支持部材ロック機構１０６８ｂ２とを、さらに示している。
【０１３４】
図２０は、図１９における断面２０−２０に沿った、ロック位置とされた右側支持部材ロック機構１０６８ａ２における、右側アーム部材１０６４ａ２と右側位置連動レセプタクル部材１０５８ａ２との間の剛性の相互接続を示す側面図であり、これにより、角度β１、β２を図示している。
【０１３５】
図２１は、おむつ交換プラットフォームシステム１０００を示す斜視図であり、例えば右側胴体支持フラップ１１８０ａ及び左側胴体支持フラップ１１８０ｂなどの、プラットフォーム部材１０１０に対して着脱可能に取り付けされ得るように構成されているとともに互いに係合することにより乳幼児がプラットフォーム部材１０１０上に配置されている際にその乳幼児の胴体を拘束し得るものとされた、少なくとも２つの乳幼児胴体支持フラップを図示している。おむつ交換プラットフォームシステム１０００は、また、例えば右側肩支持フラップ１１８２ａ及び左側肩支持フラップ１１８２ｂなどの、プラットフォーム部材１０１０に対して着脱可能に取り付けされ得るように構成されているとともに、それぞれ対応する乳幼児胴体支持フラップ１１８０ａ、１１８０ｂに対して係合することにより、乳幼児がプラットフォーム部材上に配置されている際にその乳幼児の肩を拘束し得るものとされた少なくとも２つの乳幼児肩支持フラップを含むことができる。
【０１３６】
少なくとも１つの乳幼児用衛生フラップ１１８０ｃであって、プラットフォーム部材１０１０に対して着脱可能に取り付け可能とされているとともに、支持部材１０５０とオーバーラップし得るように構成された、少なくとも１つの乳幼児用衛生フラップ１１８０ｃを含むことができる。これにより、乳幼児用衛生フラップ１１８０ｃは、乳幼児が例えば第１連動サブ部分又は着座連動サブ部分１０５２などの少なくとも１つの連動部分上に着座している時には、衛生フラップが汚れを負担し得るように構成されている。
【０１３７】
図２１に図示したおむつ交換プラットフォームシステム１０００は、本開示による、図１２又は図１４において角度αによって表された展開位置とされた仕切り部材１０２０の一実施形態をさらに図示しており、テーブル面１０２２は、このテーブル面上に、活動センタの一部として、円弧状に配置された、複数の写真、描画面、娯楽オブジェクト、ゲーム、パズル、又は同種のもの１１２１、１１２２、１１２３を含む。図２２は、図２１のおむつ交換プラットフォームシステムを示す斜視図であり、本開示による仕切り部材１０２０の他の実施形態を図示しており、テーブル面１０２２は、このテーブル面上に、活動センタの一部として、円として表された、複数の写真、描画面、娯楽オブジェクト、ゲーム、パズル、又は同種のもの１１３１、１１３２、１１３３を含む。
【０１３８】
図２３は、おむつ交換プラットフォームシステム１０００を示す正面図であり、胴体支持フラップ１１８０ａ、１１８０ｂの動きと、プラットフォーム部材１０１０に対して着脱可能に取り付け可能とされかつ支持部材１０５０とオーバーラップし得るように構成された乳幼児用衛生フラップ１１８０ｃの動きと、を図示している。胴体支持フラップ１１８０ａは、矢印Ｃの向きに移動し、他方、胴体支持フラップ１１８０ｂは、胴体支持フラップ１１８０ａに向けて、矢印Ｄの向きに移動し、そして、衛生フラップ１１８０ｅは、胴体支持フラップ１１８０ａと胴体支持フラップ１１８０ｂとの双方に向けて、矢印Ｅの向きに鉛直方向上向きに移動し、これにより、乳幼児の下側部分を取り囲むことができる。胴体支持フラップ１１８０ａ、１１８０ｂ及び肩支持フラップ１１８２ａ、１１８２ｂは、ベルクロ（登録商標）（ベルクロ社、ロンドン、英国）などのフレキシブルな接着性材料から作製することができる。
【０１３９】
プラットフォーム部材１０１０は、一般にプラットフォーム部材１０１０のほぼ中央に配置された折り重ねストリップ１０１１を含むことができる。
【０１４０】
図２４は、おむつ交換プラットフォームシステム１０００を示す正面図であり、プラットフォーム部材１０１０から取り外された、より具体的には、プラットフォーム部材１０１０を横切って水平方向に形成されたスリット１０１４から取り外された、衛生フラップ１１８０ｃを示している。
【０１４１】
図２５Ａは、プラットフォーム部材１０１０のほぼ中央に配置された折り重ねストリップ１０１１を介してコンパクトな構成へと折り畳まれたおむつ交換プラットフォームシステム１０００を示す側面図である。
【０１４２】
図２５Ｂは、コンパクトな構成へと折り畳まれた図２５Ａのおむつ交換プラットフォームシステム１０００を示す端面図であり、折り重ねストリップ１０１１を示している。
【０１４３】
図２６Ａは、図２１又は図２２のおむつ交換プラットフォームシステム１０００を示す斜視図であり、仕切り部材１０２０がなく、乳幼児を少なくとも１つの連動部分上に着座させ得るように、着座支持部分１０５０の連動サブ部分１０５２、１０５４、１０５６が、プラットフォーム部材１０１０から突出しており、複数のアーチ部材１２０５ａ〜１２０５ｎに対して着脱可能に取り付け可能な材料１２１０であるとともに、耐候性構造１２０２を規定する材料１２１０をさらに含む。
【０１４４】
他の材料１２２０が、さらなる複数のアーチ部材１２１５ａ〜１２１５ｎに対して着脱可能に取り付け可能とされており、これにより、虫除け構造１２１２を規定することができ、ここで、複数のアーチ部材１２０５ａ〜１２０５ｎ、１２１５ａ〜１２１５ｎは、部分的にしか展開されていない。
【０１４５】
複数のアーチ部材１２０５ａ〜１２０５ｎ、１２１５ａ〜１２１５ｎは、一例として矩形構成のものとして図示されているとともに、右側アーチ部材ジョイント接続部分１２３０ａのところと左側アーチ部材ジョイント接続部分１２３０ｂのところとにおいて、プラットフォーム部材１０１０に共通して回転可能に接続されている。複数のアーチ部材１２０５ａ〜１２０５ｎ、１２１５ａ〜１２１５ｎは、耐久性のあるプラスチック又は金属材料から作製することができる。
【０１４６】
同様に、図２６Ｂは、図９Ｄ〜図９Ｆ又は図１７Ｄ〜図１７Ｆのおむつ交換プラットフォームシステム２０００を示す斜視図であり、仕切り部材２０２０がなく、乳幼児を少なくとも１つの連動部分上に着座させ得るように、着座支持部分２０５０の連動サブ部分１０５２、１０５４、１０５６が、プラットフォーム部材２０１０から突出しており、複数のアーチ部材２２０５ａ〜２２０５ｎに対して着脱可能に取り付け可能とされた材料２２１０であるとともに、耐候性構造２２０２を規定する材料２２１０をさらに含む。
【０１４７】
他の材料２２２０が、さらなる複数のアーチ部材２２１５ａ〜２２１５ｎに対して着脱可能に取り付け可能とされており、これにより、虫除け構造２２１２を規定することができ、ここで、複数のアーチ部材２２０５ａ〜２２０５ｎ、２２１５ａ〜２２１５ｎは、部分的にしか展開されていない。
【０１４８】
複数のアーチ部材２２０５ａ〜２２０５ｎ、２２１５ａ〜２２１５ｎは、一例として矩形構成のものとして図示されているとともに、右側アーチ部材ジョイント接続部分２２３０ａのところと左側アーチ部材ジョイント接続部分２２３０ｂのところとにおいて、プラットフォーム部材２０１０に共通して回転可能に接続されている。複数のアーチ部材２２０５ａ〜２２０５ｎ、２２１５ａ〜２２１５ｎは、耐久性のあるプラスチック又は金属材料から作製することができる。
【０１４９】
図２７Ａ〜図２７Ｂは、おむつ交換プラットフォームシステム１０００の斜視図を示し、垂直に配置されるとともにプラットフォーム部材１０１０に対してストラップ止めされた乳幼児１０を示しているとともに、それぞれ乳幼児１０上にほぼ全体的に配置された耐候性構造１２０２及び虫除け構造１２１２をさらに示している。
【０１５０】
図２７Ｃは、図２０のおむつ交換プラットフォームシステム１０００を示す斜視図であり、複数のアーチ部材１２０５ａ〜１２０５ｎ、１２１５ａ〜１２１５ｎは、プラットフォーム部材上にわたって完全に展開され、これにより、耐候性構造１２０２及び虫除け構造１２１２を完全に展開している。
【０１５１】
図２７Ｄは、おむつ交換プラットフォームシステム１０００の斜視図を示し、プラットフォーム部材に対して取り付けられた円弧状の仕切り部材１０２０’であって、プラットフォーム部材１０１０上において水平に配置された乳幼児１０の上方に延びる円弧状の仕切り部材１０２０’を示しているとともに、仕切り部材によって支持されたメッシュ材料１２４０であって、プラットフォーム部材１０１０上に配置された乳幼児１０の上方に展開された虫除け構造１２３５を規定するメッシュ材料１２４０をさらに示している。虫除け構造１２３５を、手で把持することによってプラットフォーム部材１０１０から取り外し可能とするために、虫除け構造１２３５は、円弧状の仕切り部材１０２０’上に載置されるだけである。しかしながら、所望の場合、虫除け構造１２３５は、円弧状の仕切り部材１０２０’に対して着脱可能に取り付け可能とすることもできる。
【０１５２】
図２８は、仕切り部材１０２０の他の態様を、上側連動部分１０７０上においてプラットフォーム部材１０１０に対して平行に配置された同心円弧形状という形態とされた仕切り部材１０２０’として、図示している。仕切り部材１０２０’は、テーブル面１０２２の直下に底面１０２２’を規定する。底面１０２２’は、玩具、ゲーム、おむつ交換用品、清掃用品、又は同種のものなどの物品を、内部に保管するための複数のポケット１０８０を含む。ポケット１０８０は、ジッパー又はベルクロ（登録商標）等によって密閉することができる。
【０１５３】
図２９は、図２８の仕切り部材１０２０’のさらに他の態様を図示しており、仕切り部材１０２０’は、プラットフォーム部材１０１０に対して平行に配置されているとともに、玩具、ゲーム、おむつ交換用品、清掃用品、又は同種のものなどの物品を内部に保管するための、ジッパー又はベルクロ（登録商標）１０８４などによって密閉された単一のポケット１０８２を含む。
【０１５４】
図３０は、おむつ交換プラットフォームシステム１０００、２０００の携行者２０を示しており、携行者２０は、前向きであり、例えば図９Ａ〜図９Ｆ及び図１７Ａ〜図１７Ｆに図示した右肩ストラップ１１１０ａ及び左肩ストラップ１１１０ｂなどの、携行者２０によって支持されかつおむつ交換プラットフォームシステム１０００、２０００に対して取り付けられた少なくとも２つの肩ストラップを介して、携行者の前面上におむつ交換プラットフォームシステム１０００、２０００を支持している。おむつ交換プラットフォームシステム１０００、２０００は、乳幼児が支持されていない平坦な位置とされている。
【０１５５】
図３１は、図３０のおむつ交換プラットフォームシステム１０００、２０００の携行者を示し、携行者２０は、この場合にも前向きであり、おむつ交換プラットフォームシステム１０００、２０００の着座支持部分１０５０上に着座した乳幼児１０をさらに示している。この時点では、乳幼児１０は、胴体支持フラップ１１８０ａ、１１８０ｂを介して、及び、肩ストラップ１１８２ａ、１１８２ｂを介して、プラットフォームシステム１０００、２０００に対して固定されている。
【０１５６】
図３２は、図３０及び図３１のおむつ交換プラットフォームシステムの携行者の背面図を示しており、おむつ交換プラットフォームシステム１０００、２０００の着座支持部分１０５０上に乳幼児を着座させ得るよう、おむつ交換プラットフォームシステム１０００、２０００を支持し得るように携行者２０の周囲に構成された、図９Ａ〜図９Ｆ及び図１７Ａ〜図１７Ｆの肩及び胴体ハーネス１１００をさらに示している。プラットフォーム部材１０１０に対して着脱可能に取り付け可能とされかつプラットフォーム部材１０１０から着脱可能に取り外し可能とされた、右肩ストラップ１１１０ａ及び左肩ストラップ１１１０ｂならびに携行者胴体ストラップ１１２０に加えて、図９Ａ〜図９Ｆ及び図１７Ａ〜図１７Ｆに示すように、肩及び胴体ハーネス１１００は、右肩ストラップ１１１０ａと左肩ストラップ１１１０ｂとの間に、追加的ストラップ１１１５をさらに含むことができる。図３２においては、ストラップ１１１５、１１２０は、携行者２０の背面上に図示されたバックル（符号は付されていない）を示している。携行者２０の便宜のために、前面バックル（図示せず）を、携行者の前面側において、携行者の胴体ストラップ１１２０上に、及び／又は、肩ストラップ１１１０ａ、１１１０ｂ上に、配置することができる。
【０１５７】
図３３は、おむつ交換プラットフォームシステム１０００、２０００の他の態様を示しており、おむつ交換プラットフォームシステム１０００、２０００は、ここでは、上昇位置に配置されていて、部分的に矩形とされかつ部分的に円弧状とされた仕切り部材１０２０”を含み、おむつ交換プラットフォームシステム１０００、２０００のプラットフォーム１０１０、２０１０は、それぞれ、家具３０上において平坦な位置で配置されている。図３４は、図３０〜図３２の肩及び胴体ハーネス１１００を示しており、ここで、ウェストバンド重量支持システム１１２５は、携行者２０の周囲に着用されたあるいは携行者２０を取り囲んだウェストバンド１１３０によって支持された支持リブ１１４０ａ〜１１４０ｎなどの支持構造であって、携行者２０の胴体前面上においてウェストバンド１１３０に形成された１つ又は複数のポケット１１３２の内部に係合しているとともに、スナップ止め部材などの固定デバイス１１３４によって固定された、支持構造を含む。支持リブ１１４０ａ〜１１４０ｎの第１端部１１４２ａ〜１１４２ｎは、１つ又は複数のポケット１１３２を貫通しておりあるいは１つ又は複数のポケット１１３２内に支持されており、他方、支持リブ１１４０ａ〜１１４０ｎの第２端部１１４４ａ〜１１４４ｎは、プラットフォーム部材１０１０の上側連動部分１０７０から突出して配置されることによって乳幼児を連動サブ部分１０５２上に着座させ得るように配置され得る連動サブ部分１０５２の底面１０５２’と相互作用している。
【０１５８】
支持リブ１１４０ａ〜１１４０ｎは、着座位置とされた時のおむつ交換プラットフォームシステム１０００に対して調節可能な重量支持を提供し得るように構成され、これにより、携行者２０の肩２２に対して印加される乳幼児の重量を低減させ得るとともに、そのような重量を、ウェストバンド１１２０へと、及び、携行者２０の腰又は中央部分２４へと、伝達することができる。
【０１５９】
図３５は、ハイキング者や軍関係者等によって運ばれるものなどのバックパック１３１０（又は、フロントパック１３１０’）の下方のウェストバンド重量支持システム１３２５を図示している。ウェストバンド重量支持システム１３２５は、携行者２０’の周囲に着用されたあるいは携行者２０’を取り囲んだウェストバンド１３３０によって支持された支持リブ１３４０ａ〜１３４０ｎなどの支持構造であって、ウェストバンド１３３０に形成された１つ又は複数のポケット１３３２の内部に係合しているとともに、スナップ止め部材を含み得る固定デバイス１３３４によって固定された、支持構造を含む。図３４のウェストバンド重量支持システム１１２５とは対照的に、バックパック１３１０（及び、任意選択的に、水筒、携行者の小物入れ１３１４、又は同種のもの）を支持するために、ポケット１３３２は、携行者２０’の胴体背面上に配置されている。
【０１６０】
ウェストバンド重量支持システム１１２５の場合と同様に、支持リブ１３４０ａ〜１３４０ｎの第１端部１３４２ａ〜１３４２ｎは、１つ又は複数のポケット１３３２を貫通しておりあるいは１つ又は複数のポケット１３３２内に支持されており、他方、支持リブ１３４０ａ〜１３４０ｎの第２端部１３４４ａ〜１３４４ｎは、バックパック１３１０の底面１３１２と相互作用している。
【０１６１】
破線で示されたフロントパック１３１０’（及び、任意選択的に、水筒、携行者の小物入れ１３１４’、又は同種のもの）の場合には、ウェストバンド重量支持システム１３２５は、携行者２０’の周囲のウェストバンド１３３０によって支持された支持リブ１３４０ａ’〜１３４０ｎ’であって、ウェストバンド１３３０に形成された１つ又は複数のポケット１３３２’の内部に係合しているとともに、スナップ止め部材を含み得る固定デバイス１３３４’によって固定された、支持リブ１３４０ａ’〜１３４０ｎ’を含む。図３４のウェストバンド重量支持システム１１２５の場合と同様の態様で、フロントパック１３１０’を支持するために、ポケット１３３２は、携行者２０’の胴体前面上に配置されている。
【０１６２】
支持リブ１３４０ａ’〜１３４０ｎ’の第１端部１３４２ａ’〜１３４２ｎ’は、１つ又は複数のポケット１３３２を貫通しておりあるいは１つ又は複数のポケット１３３２内に支持されており、他方、支持リブ１３４０ａ’〜１３４０ｎ’の第２端部１３４４ａ’〜１３４４ｎ’は、フロントパック１３１０’の底面１３１２’と相互作用している。
【０１６３】
同様に、ウェストバンド重量支持システム１３２５は、肩２２からの重量を、ウェストバンド１３３０へと、及び、携行者２０’の腰又は中央部分２４へと、伝達し、このため、携行者２０’に対する負担が、より少ない。
【０１６４】
図３６は、図３０〜図３２の肩及び胴体ハーネス１１００を図示しており、肩及び胴体ハーネス１１００は、スナップ止め部材などの固定デバイス１６３４付きの第１側方ポケット１６３２を有したウェストバンド１６３０であるとともに胴体の前方上におむつ交換プラットフォームシステム１０００を携行した携行者２０上に取り付けられたウェストバンド１６３０を含む外骨格重量支持システム１６００を含む。肩及び胴体ハーネス１１００は、携行者２０の肩２２に対して取り付けられている。
【０１６５】
輪郭形成されたロッドという形態の第１側方外骨格支持構造１６０２ａは、携行者２０の腰又は中央部分２４を取り囲んだウェストバンド１６３０を介して、携行者２０に対して取り付けられている。第１側方外骨格支持構造１６０２ａは、携行者２０の右足２６ａに対して取り付けられた端部１６０４ａ’を有した第１輪郭部分１６０４ａを含むとともに、携行者２０の右脚から外向きに曲がり、さらに、ウェストバンド１６３０の第１側方ポケット１６３２を貫通している。第１側方外骨格支持構造１６０２ａの第２部分１６０６ａは、携行者２０の上側胴体に向かう向きに曲がっており、これにより、この第２部分１６０６ａの先端又は端部１６０６ａ’は、プラットフォーム部材１０１０の上側連動部分１０７０から突出して配置された連動サブ部分１０５２の底面１０５２’の下へと配置されている。
【０１６６】
第１側方外骨格支持構造１６０２ａに類似した第２側方外骨格支持構造１６０２ｂが、携行者の左足２６ｂに対して取り付けられており、この第２側方外骨格支持構造１６０２ｂについては、ウェストバンド１６３０に対しての構成、及び、おむつ交換プラットフォームシステム１０００に対しての構成が、本開示を考慮すれば当業者には自明であることから、図３６には図示されておらず特段の説明もしない。第２側方外骨格支持構造１６０２ｂの他の態様については、図３６Ｃにおいて部分図がさらに図示されており、後述することとする。
【０１６７】
よって、外骨格重量支持システム１６００は、この場合にも、肩２２からの重量をウェストバンド１６３０へとさらには携行者２０の中央部分へと伝達し得るよう、おむつ交換プラットフォームシステム１０００のシートとして配置された連動サブ部分１０５２を支持する目的で、単一部材からなる湾曲した輪郭の「外骨格」支持構造１６０２ａ、１６０２ｂから構成されており、ここでは、足２６ａ、２６ｂによる追加的な支援により、携行者２０に対する重量負担を、より小さなものとすることができる。
【０１６８】
一般に、携行者２０に対しておむつ交換プラットフォームシステム１０００が取り付けられた後に、携行者２０に対して外骨格重量支持システム１６００が取り付けられる、もしくは、携行者２０は、おむつ交換プラットフォームシステム１０００を取り付けた後に、外骨格重量支持システム１６００を取り付ける。
【０１６９】
図３６Ａは、携行者２０’がフロントパック１３１０’を支持している場合に、第２部分１６０６ａのうちの、図３５のフロントパック１３１０’の底面１３１２’ の下へと配置された先端又は端部１６０６ａ’の詳細を示している。
【０１７０】
図３６Ｂ及び図３６Ｃは、外骨格重量支持システム１６００の一態様を図示しており、連動サブ部分１０５２を支持している外骨格重量支持システム１６００を安定化させるために、プレート部材１６０８ａが連動サブ部分１０５２の底面１０５２’の下へと配置され得るようにして、プレート部材１６０８ａが、先端又は端部１６０６ａ’のところにおいて第１側方外骨格支持構造１６０２ａの第２部分１６０６ａに対して設けられており、さらに、プレート部材１６０８ｂが連動サブ部分１０５２の底面１０５２’の下へと配置され得るようにして、プレート部材１６０８ｂが、先端又は端部１６０６ｂ’のところにおいて第１側方外骨格支持構造１６０２ｂの第２部分１６０６ｂに対して設けられている。
【０１７１】
連動サブ部分１０５２の底面１０５２’は、プレート部材１６０８ａ、１６０８ｂを内部に受容し得るように構成されて配置されたポケットライニング１０９０を含み、これにより、携行者２０が動いた場合であっても、外骨格重量支持システム１６００をおむつ交換プラットフォームシステム１０００に対して安定化させることができる。
【０１７２】
プレート部材１６０８ａ、１６０８ｂを受容するポケットライニングと同様の構成（図示せず）が、図３６Ａに示すフロントパック１３１０’の底面１３１２’に対して適用されてもよい。
【０１７３】
プレート部材１６０８ａ、１６０８ｂ及びポケットライニング１０９０は、全体的に、平坦な構成として形成されているけれども、他の態様では、プレート部材１６０８ａ、１６０８ｂ及びポケットライニング１０９０は、必要に応じて、また、用途に応じて適切であるように、１つ又は複数の湾曲部分又は複数の直線部分を有して形成することができる。
【０１７４】
図３７Ａは、バックパック１３１０を支持し得るように構成されて配置された外骨格重量支持システム１６５０に関しての、本開示による他の態様を図示している。
【０１７５】
外骨格重量支持システム１６５０は、携行者２０’の腰２４を取り囲んだウェストバンド１６６０を介して携行者２０’に対して取り付けられた輪郭形成ロッドという形態の第１側方外骨格支持構造１６５２ａを含む。第１側方外骨格支持構造１６５２ａは、携行者２０’の右足２６ａに対して取り付けられた端部１６５２ａ’を有した輪郭構成を規定しているとともに、携行者２０’の右脚から外向きに曲がっており、さらに、ウェストバンド１６６０の第１側方ポケット１６６２を貫通しており、第１側方外骨格支持構造１６５２ａの第２端部１６５２ａ”は、バックパック１３１０の底面１３１２の下へと配置され得るよう、携行者２０’の胴体の背面から外向きに延びている。第１側方外骨格支持構造１６５２ａは、スナップ止め部材などの固定デバイス１６６４を介して、ポケット１６６２に対して固定されている。
【０１７６】
第１側方外骨格支持構造１６５２ａに類似した第２側方外骨格支持構造１６５２ｂが、携行者２０の左足２６ｂに対して取り付けられており、この第２側方外骨格支持構造１６５２ｂについては、ウェストバンド１６６０に対しての構成、及び、バックパック１３１０に対しての構成が、本開示を考慮すれば当業者には自明であることから、図３７Ａには図示されておらず特段の説明もしない。
【０１７７】
図３６Ｂ及び図３６Ｃに関して説明した外骨格重量支持システム１６００の場合と同様に、当業者であれば、平坦なプレート１６０８ａ、１６０８ｂを受容し得るように構成されて配置されるポケットライニング１０９０の場合と同様の態様で、プレート部材１６０８ａ、１６０８ｂの同様の構成を、外骨格支持システム１６５０に対して適用し得ること、及び、プレート部材１６０８ａ、１６０８ｂを受容するポケットライニング（図示せず）の同様の構成を、図３７Ａに示すフロントパック１３１０の底面１３１２に対して適用し得ることは、認識され理解されるであろう。
【０１７８】
よって、この場合にも、外骨格重量支持システム１６５０は、肩２２からの重量をウェストバンド１６６０へとさらには携行者２０の中央部分へと伝達し得るよう、バックパック１３１０を支持する目的で、単一部材からなる湾曲した輪郭の「外骨格」支持構造１６５２ａ、１６５２ｂから構成されており、ここでは、足２６ａ、２６ｂの動きという追加的な支援により、携行者２０に対する重量負担を、より小さなものとすることができる。
【０１７９】
図３７Ｂは、底面１４１２を有したバックパック１４１０（及び、任意選択的に、水筒、携行者の小物入れ１４１４、又は同種のもの）を支持し得るように構成されて配置された外骨格重量支持システム１６７０に関しての、本開示による他の態様を図示している。
【０１８０】
輪郭形成されたロッドという形態の第１側方外骨格支持構造１６７２ａは、携行者２０’の腰２４を取り囲んだウェストバンド１６６０を介して、携行者２０’に対して取り付けられている。第１側方外骨格支持構造１６７２ａは、携行者２０’の右足２６ａに対して取り付けられた端部１６７４ａ’を有した第１輪郭部分１６７４ａを含むとともに、携行者２０’の後方側に向けて携行者２０’の右脚から内向きに曲がり、これにより、第１側方外骨格支持構造１６７２ａの第２部分１６７６ａに対して、変曲点又は変曲領域１６７５を形成している。変曲点又は変曲領域１６７５から、第２部分１６７６ａは、携行者２０’の上側胴体へと向かう向きに曲がり、ウェストバンド１６３０の第１側方ポケット１６３２を貫通しており、第１側方外骨格支持構造１６７２ａは、スナップ止め部材などの固定デバイス１６６４を介して、第１側方ポケット内に固定されている。第１側方外骨格支持構造１６７２ａの第２部分１６７６ａは、この第２部分１６０６ａの先端又は端部１６７６ａ’がバックパック１４１０の底面１４１２の下へと配置され得るよう、携行者２０の上側胴体へと向かう向きに曲がっており、第２部分１６０６ａの先端又は端部１６７６ａ’は、図３７Ａに示すように、バックパック１３１０が携行者２０’の胴体の背面に沿って鉛直方向下向きに位置している範囲と比較して、ウェストバンド１６６０に向けて、携行者２０’の胴体の背面に沿ってさらに鉛直方向下向きに延びている。
【０１８１】
第１側方外骨格支持構造１６７２ａに類似した第２側方外骨格支持構造１６７２ｂが、携行者２０の左足２６ｂに対して取り付けられており、この第２側方外骨格支持構造１６７２ｂについては、ウェストバンド１６６０に対しての構成、及び、バックパック１４１０に対しての構成が、本開示を考慮すれば当業者には自明であることから、図３７Ｂには図示されておらず特段の説明もしない。
【０１８２】
図３６Ｂ及び図３６Ｃに関して説明した外骨格重量支持システム１６００の場合と同様に、当業者であれば、平坦なプレート１６０８ａ、１６０８ｂを受容し得るように構成されて配置されるポケットライニング１０９０の場合と同様の態様で、プレート部材１６０８ａ、１６０８ｂの同様の構成を、外骨格支持システム１６７０に対して適用し得ること、及び、プレート部材１６０８ａ、１６０８ｂを受容するポケットライニング（図示せず）の同様の構成を、図３７Ｂに示すフロントパック１４１０の底面１４１２に対して適用し得ることは、認識され理解されるであろう。
【０１８３】
よって、外骨格重量支持システム１６７０は、この場合にも、肩２２からの重量をウェストバンド１６６０へとさらには携行者２０’の中央部分へと伝達し得るよう、バックパック１４１０の底面１４１２を支持する目的で、単一部材からなる湾曲した輪郭の「外骨格」支持構造１６７２ａ、１６７２ｂから構成されており、ここでは、足２６ａ、２６ｂの動きという追加的な支援により、携行者２０’に対する重量負担を、より小さなものとすることができる。
【０１８４】
図３４におけるウェストバンド１１３０と、図３５におけるウェストバンド１３３０と、図３６におけるウェストバンド１６３０と、図３７Ａ及び図３７Ｂにおけるウェストバンド１６６０とは、限定されないが、背中支持用ブレースデバイスとしてあるいは軍関係者等が着用する布ベルトなどの同様の用途として利用されるフレキシブルさと強度との双方を提供する、ポリエステル、ナイロン、及びゴムブレンドなどの材料から形成することができる。
【０１８５】
支持リブ１１４０ａ〜１１４０ｎ、１３４０ａ〜１３４０ｎは、限定されないが、フレキシブルさと構造的強度との双方を提供する炭素繊維などの材料から作製することができる。
【０１８６】
図３６、図３６Ａ、図３６Ｂ、及び図３６Ｃにおける外骨格構造１６０２ａ、１６０２ｂと、図３７Ａにおける外骨格構造１６５２ａ、１６５２ｂと、図３７Ｂにおける外骨格構造１６７２ａ、１６７２ｂとは、同様に、限定されないが、フレキシブルさと構造的強度との双方を提供する炭素繊維などの材料から作製することができる。
【０１８７】
本開示のいくつかの実施形態及び方法論について説明して図面に図示したけれども、本開示がそれらに限定されることは意図されておらず、本開示は、当該技術分野が許容する中で最も広範なものであること、また、本明細書が同様に最も広範なものとして読まれること、が意図されている。
【０１８８】
したがって、上記の説明は、限定事項として解釈されるべきではなく、特定の実施形態及び方法論に関する単なる例示に過ぎない。当業者であれば、本明細書に添付された特許請求の範囲内において他の修正を想定するであろう。
【図１】
2021506537.tif 000003
【図２Ａ】
2021506537.tif 000004
【図２Ｂ】
2021506537.tif 000005
【図３】
2021506537.tif 000006
【図４】
2021506537.tif 000007
【図５】
2021506537.tif 000008
【図６】
2021506537.tif 000009
【図７】
2021506537.tif 000010
【図８】
2021506537.tif 000011
【図９Ａ】
2021506537.tif 000012
【図９Ｂ】
2021506537.tif 000013
【図９Ｃ】
2021506537.tif 000014
【図９Ｄ】
2021506537.tif 000015
【図９Ｅ】
2021506537.tif 000016
【図９Ｆ】
2021506537.tif 000017
【図１０】
2021506537.tif 000018
【図１１】
2021506537.tif 000019
【図１２】
2021506537.tif 000020
【図１３Ａ】
2021506537.tif 000021
【図１３Ｂ】
2021506537.tif 000022
【図１４】
2021506537.tif 000023
【図１４Ａ】
2021506537.tif 000024
【図１４Ｂ】
2021506537.tif 000025
【図１５】
2021506537.tif 000026
【図１６】
2021506537.tif 000027
【図１７Ａ】
2021506537.tif 000028
【図１７Ｂ】
2021506537.tif 000029
【図１７Ｃ】
2021506537.tif 000030
【図１７Ｄ】
2021506537.tif 000031
【図１７Ｅ】
2021506537.tif 000032
【図１７Ｆ】
2021506537.tif 000033
【図１８】
2021506537.tif 000034
【図１９】
2021506537.tif 000035
【図２０】
2021506537.tif 000036
【図２１】
2021506537.tif 000037
【図２２】
2021506537.tif 000038
【図２３】
2021506537.tif 000039
【図２４】
2021506537.tif 000040
【図２５Ａ】
2021506537.tif 000041
【図２５Ｂ】
2021506537.tif 000042
【図２６Ａ】
2021506537.tif 000043
【図２６Ｂ】
2021506537.tif 000044
【図２７Ａ】
2021506537.tif 000045
【図２７Ｂ】
2021506537.tif 000046
【図２７Ｃ】
2021506537.tif 000047
【図２７Ｄ】
2021506537.tif 000048
【図２８】
2021506537.tif 000049
【図２９】
2021506537.tif 000050
【図３０】
2021506537.tif 000051
【図３１】
2021506537.tif 000052
【図３２】
2021506537.tif 000053
【図３３】
2021506537.tif 000054
【図３４】
2021506537.tif 000055
【図３５】
2021506537.tif 000056
【図３６】
2021506537.tif 000057
【図３６Ａ】
2021506537.tif 000058
【図３６Ｂ】
2021506537.tif 000059
【図３６Ｃ】
2021506537.tif 000060
【図３７Ａ】
2021506537.tif 000061
【図３７Ｂ】
2021506537.tif 000062
【手続補正書】
【提出日】令和2年9月16日(2020.9.16)
【手続補正２】
【補正対象書類名】特許請求の範囲
【補正対象項目名】全文
【補正方法】変更
【補正の内容】
【特許請求の範囲】
【請求項１】
携行者の腰まわりに着用されるように構成されたバンドであって、少なくとも１つの支持構造を固定するための少なくとも１つの固定デバイスを含むバンドを備える重量支持システムにおいて、
前記バンドと前記少なくとも１つの支持構造とは、
着座支持部分がプラットフォーム部材から突出して配置され得るように構成されたプラットフォームシステムであって、前記プラットフォームシステムが前記携行者によって支持されている際に、前記プラットフォーム部材から突出して配置された時に前記着座支持部分上に乳幼児を着座させることが可能になるプラットフォームシステム、または
バックパックの前記携行者の胴体背面上に付帯された前記バックパック、または
フロントパックの前記携行者の胴体前面上に付帯された前記フロントパック
の少なくとも１つを含むと共にこれらへの支持を提供するように構成され、
前記重量支持システムは、前記携行者の肩に対して印加される、前記プラットフォームシステムの前記着座支持部分上に着座した乳幼児の重量を低減し、または前記携行者の肩に対して印加される前記バックパックの重量を低減し、または前記携行者の肩に対して印加される前記フロントパックの重量を低減するように構成されており、
前記少なくとも１つの支持構造は、湾曲形状に構成され、前記重量に近接して前記着座支持部分、前記バックパックまたは前記フロントパックの実質的に下方に位置する第１端部と、前記固定デバイスに動作可能に連結された第２端部とを有し、前記固定デバイスを通る垂直基準線が画定され、前記少なくとも１つの支持構造は、前記第１端部から曲線状に配置され、前記垂直基準線を通過して、前記第２端部において前記少なくとも１つの固定デバイスに動作可能に連結されるように続いており、
前記プラットフォームシステムの重量または前記バックパックの重量または前記フロントパックの重量が、前記第１端部と前記少なくとも１つの固定デバイスとの間の距離に対して、第１曲げモーメントおよび垂直下向きの力を生じさせ、
前記第１曲げモーメントは、前記第１端部を垂直に横切る軸に対して時計回りまたは反時計回りの方向に生じ、
前記垂直基準線を通過する前記少なくとも１つの支持構造の湾曲形状は、前記第１曲げモーメントに対してそれぞれ反時計回りまたは時計回りの方向に第２曲げモーメントを生じさせ、前記第２曲げモーメントが前記第１曲げモーメントを少なくとも部分的に打ち消すことにより、前記携行者によって支持される前記重量によって引き起こされる前記携行者の不安定性を低減する、重量支持システム。
【請求項２】
前記少なくとも１つの支持構造は、前記バンドによって支持された少なくとも２つの支持リブを含み、
前記少なくとも２つの支持リブは、
着座支持部分がプラットフォーム部材から突出して配置され得るように構成され、前記プラットフォーム部材から突出して配置された時に前記着座支持部分上に乳幼児を着座させることが可能になるプラットフォームシステム、
バックパックの前記携行者の胴体背面上に付帯された前記バックパック、および
フロントパックの前記携行者の胴体前面上に付帯された前記フロントパック、
のうちの少なくとも１つ、またはこれらの組合せを支持するように構成されている、請求項１に記載の重量支持システム。
【請求項３】
前記少なくとも１つの支持構造は、前記携行者の腰周りに着用されるように構成された前記バンドに接続された少なくとも２つの支持リブを含み、前記支持リブは、湾曲形状に構成されており、
前記少なくとも２つの支持リブの頂部またはその近傍において、スプリング力が生成され、前記支持リブが前記携行者の腰周りに着用されるように構成された前記バンドに接続される場所において曲げモーメントが生成され、
前記少なくとも１つの支持構造に印加される重量による前記少なくとも２つの支持リブに対して生起される垂直力が、前記少なくとも２つの支持リブが前記携行者の腰周りに着用されるように構成された前記バンドに接続される場所において時計回りまたは反時計回りの方向の第１曲げモーメントを発生させ、前記少なくとも２つの支持リブ内で形成された生起される垂直力が、前記第１曲げモーメントの時計回りまたは反時計回りの方向とは逆方向の第２曲げモーメントを発生させ、それによって前記携行者に対する荷重支持作用が軽減される、請求項２に記載の重量支持システム。
【請求項４】
携行者の腰まわりに着用されるように構成されたバンドであって、少なくとも１つの支持構造を固定するための少なくとも１つの固定デバイスを含むバンドを備える重量支持システムにおいて、
前記バンドと前記少なくとも１つの支持構造とは、前記携行者によって支持されている際に、着座支持部分上に乳幼児を着座させることを可能にするように前記着座支持部分に支持を提供するように構成されており、
前記重量支持システムは、前記携行者の肩に対して印加される、前記着座支持部分上に着座した乳幼児の重量を低減するように構成されており、
前記少なくとも１つの支持構造は、湾曲形状に構成され、前記重量に近接して前記着座支持部分の実質的に下方に位置する第１端部と、前記固定デバイスに動作可能に連結された第２端部とを有し、前記少なくとも１つの支持構造は、前記第１端部から曲線状に配置され、前記第２端部において前記少なくとも１つの固定デバイスに動作可能に連結され、
前記着座支持部分の重量が、前記第１端部と前記少なくとも１つの固定デバイスとの間の距離に対して、第１曲げモーメントおよび垂直下向きの力を生じさせ、
前記第１曲げモーメントは、前記第１端部を垂直に横切る軸に対して時計回りまたは反時計回りの方向に生じ、
前記少なくとも１つの支持構造の湾曲形状は、前記第１曲げモーメントに対してそれぞれ反時計回りまたは時計回りの方向に第２曲げモーメントを生じさせ、前記第２曲げモーメントが前記第１曲げモーメントを少なくとも部分的に打ち消すことにより、前記携行者によって支持される前記重量によって引き起こされる前記携行者の不安定性を低減する、重量支持システム。
【請求項５】
前記少なくとも１つの支持構造は、前記バンドによって支持され、かつ前記着座支持部分上に乳幼児を着座させることを可能にするように前記着座支持部分を支持するように構成された少なくとも２つの支持リブを含む、請求項４に記載の重量支持システム。
【請求項６】
前記少なくとも１つの支持構造は、前記携行者の腰周りに着用されるように構成された前記バンドに接続された少なくとも２つの支持リブを含み、前記支持リブは、湾曲形状に構成されており、
前記少なくとも２つの支持リブの頂部またはその近傍において、前記支持リブによって、スプリング力が生成され、前記支持リブが前記携行者の腰周りに着用されるように構成された前記バンドに接続される場所において曲げモーメントが生成され、
前記少なくとも１つの支持構造に印加される重量による前記少なくとも２つの支持リブに対して生起される垂直力が、前記少なくとも２つの支持リブが前記携行者の腰周りに着用されるように構成された前記バンドに接続される場所において時計回りまたは反時計回りの方向の第１曲げモーメントを発生させ、前記少なくとも２つの支持リブ内で形成された生起される垂直力が、前記第１曲げモーメントの時計回りまたは反時計回りの方向とは逆方向の第２曲げモーメントを発生させ、それによって前記携行者に対する荷重支持作用が軽減される、請求項４に記載の重量支持システム。
【請求項７】
携行者の腰まわりに着用されるように構成されたバンドであって、少なくとも１つの支持構造を固定するための少なくとも１つの固定デバイスを含むバンドを備える重量支持システムにおいて、
前記バンドと前記少なくとも１つの支持構造とは、
バックパックの前記携行者の胴体背面上に付帯された前記バックパック、または
フロントパックの前記携行者の胴体前面上に付帯された前記フロントパック
の少なくとも１つを含むと共にこれらへの支持を提供するように構成され、
前記重量支持システムは、前記携行者の肩に対して印加される前記バックパックの重量を低減し、または前記携行者の肩に対して印加される前記フロントパックの重量を低減するように構成されており、
前記少なくとも１つの支持構造は、湾曲形状に構成され、前記重量に近接して前記バックパックまたは前記フロントパックの実質的に下方に位置する第１端部と、前記固定デバイスに動作可能に連結された第２端部とを有し、前記少なくとも１つの支持構造は、前記第２端部において前記少なくとも１つの固定デバイスに動作可能に連結されるように、前記第１端部から曲線状に配置され、
前記バックパックの重量または前記フロントパックの重量が、前記第１端部と前記少なくとも１つの固定デバイスとの間の距離に対して、第１曲げモーメントおよび垂直下向きの力を生じさせ、
前記第１曲げモーメントは、前記第１端部を垂直に横切る軸に対して時計回りまたは反時計回りの方向に生じ、
前記少なくとも１つの支持構造の湾曲形状は、前記第１曲げモーメントに対してそれぞれ反時計回りまたは時計回りの方向に第２曲げモーメントを生じさせ、前記第２曲げモーメントが前記第１曲げモーメントを少なくとも部分的に打ち消すことにより、前記携行者によって支持される前記重量によって引き起こされる前記携行者の不安定性を低減する、重量支持システム。
【請求項８】
前記少なくとも１つの支持構造は、前記バンドによって支持された少なくとも２つの支持リブを含み、前記少なくとも２つの支持リブは、
バックパックの前記携行者の胴体背面上に付帯された前記バックパック、および
フロントパックの前記携行者の胴体前面上に付帯された前記フロントパック
のうちの少なくとも１つ、またはこれらの組合せを支持するように構成されている、請求項７に記載の重量支持システム。
【請求項９】
前記少なくとも１つの支持構造は、前記携行者の腰周りに着用されるように構成された前記バンドに接続された少なくとも２つの支持リブを含み、前記支持リブは、湾曲形状に構成されており、
前記少なくとも２つの支持リブの頂部またはその近傍において、スプリング力が生成され、前記支持リブが前記携行者の腰周りに着用されるように構成された前記バンドに接続される場所で曲げモーメントが生成され、
前記少なくとも１つの支持構造に印加される重量による前記少なくとも２つの支持リブに対して生起される垂直力が、前記少なくとも２つの支持リブが前記携行者の腰周りに着用されるように構成された前記バンドに接続される場所において時計回りまたは反時計回りの方向の第１曲げモーメントを発生させ、前記少なくとも２つの支持リブ内で形成された生起される垂直力が、前記第１曲げモーメントの時計回りまたは反時計回りの方向とは逆方向の第２曲げモーメントを発生させ、それによって前記携行者に対する荷重支持作用が軽減される、請求項７に記載の重量支持システム。
【請求項１０】
少なくとも１つの支持構造を固定するための少なくとも１つの固定デバイスを含むバンドを備え、
前記バンドと前記少なくとも１つの支持構造とは、
着座支持部分がプラットフォーム部材から突出して配置され得るように構成されたプラットフォームシステム、または
バックパック、または
フロントパック
の少なくとも１つを含むと共にこれらへの支持を提供するように構成され、
前記少なくとも１つの支持構造は、湾曲形状に構成され、前記着座支持部分、前記バックパックまたは前記フロントパックの実質的に下方に位置する第１端部と、前記固定デバイスに動作可能に連結された第２端部とを有し、前記少なくとも１つの支持構造は、前記第２端部において前記少なくとも１つの固定デバイスに動作可能に連結されるように、前記第１端部から曲線状に配置され、
前記プラットフォームシステムの重量または前記バックパックの重量または前記フロントパックの重量が、前記第１端部と前記少なくとも１つの固定デバイスとの間の距離に対して、第１曲げモーメントおよび垂直下向きの力を生じさせ、
前記第１曲げモーメントは、前記第１端部を垂直に横切る軸に対して時計回りまたは反時計回りの方向に生じ、
前記少なくとも１つの支持構造の湾曲形状は、前記第１曲げモーメントに対してそれぞれ反時計回りまたは時計回りの方向に前記第１曲げモーメントを少なくとも部分的に打ち消す第２曲げモーメントを生じさせる、重量支持システム。
【請求項１１】
前記少なくとも１つの支持構造は、前記バンドによって支持された少なくとも２つの支持リブを含み、
前記少なくとも２つの支持リブは、
着座支持部分がプラットフォーム部材から突出して配置され得るように構成されたプラットフォームシステム、
バックパック、および
フロントパック
のうちの少なくとも１つ、またはこれらの組合せを支持するように構成されている、請求項１０に記載の重量支持システム。
【請求項１２】
前記少なくとも１つの支持構造は、前記バンドに接続された少なくとも２つの支持リブを含み、前記支持リブは、湾曲形状に構成されており、
前記少なくとも２つの支持リブの頂部またはその近傍において、スプリング力が生成され、前記支持リブが前記バンドに接続される場所において曲げモーメントが生成され、
前記少なくとも２つの支持リブに対して生起される垂直力が、前記少なくとも２つの支持リブが前記バンドに接続される場所において時計回りまたは反時計回りの方向の第１曲げモーメントを発生させ、前記少なくとも２つの支持リブ内で形成された生起される垂直力が、前記第１曲げモーメントの時計回り又は反時計回りの方向とは逆方向の第２曲げモーメントを発生させる、請求項１０に記載の重量支持システム。
【国際調査報告】
2021506537.tif 000063
2021506537.tif 000064
2021506537.tif 000065
2021506537.tif 000066
2021506537.tif 000067